(57)【要約】  第１の符号ブックからプリコーダを決定する方法であって、プリコーダの決定は、ビーム形成されるアンテナポートのセットに対し測定を行うことを含み、第１の符号ブック内のプリコーダは、マルチビームの第２の符号ブック内のプリコーダと１つ以上の共通成分を共有し、第２の符号ブックからプリコーダを決定することは、典型的には非プリコーデッドなアンテナポートのより大きいセットに対し測定を行うことを含む。【選択図】図１０
2020504465.tif 000002
【特許請求の範囲】
【請求項１】
無線ネットワークノード（２０）のための方法であって、
前記無線ネットワークノード（２０）により、ビーム形成されるアンテナポートのセットに対し測定を行うことにより第１の符号ブックから少なくとも１つのプリコーダ（３０）を決定することと、
前記無線ネットワークノード（２０）により、前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定することと、前記第１の符号ブック内の前記少なくとも１つのプリコーダ（３０）は、前記第２の符号ブック内の前記少なくとも１つのプリコーダ（３０）と１つ以上の共通成分を共有することと、
を含む方法。
【請求項２】
請求項１に記載の方法であって、
前記１つ以上の共通成分は、ビーム電力スケーリング成分及び／又はビーム位相スケーリング成分を含む、方法。
【請求項３】
請求項２に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項４】
請求項１に記載の方法であって、
前記１つ以上の共通成分は、ビーム位相スケーリング成分を含み、
前記第２の符号ブックは、ビーム電力スケーリング成分を含む、方法。
【請求項５】
ワイヤレスデバイス（４０）のための方法であって、
前記ワイヤレスデバイス（４０）により、複数の成分を含むマルチビームの符号ブックである第１の符号ブックへアクセスすることと、
前記ワイヤレスデバイス（４０）により、前記第１の符号ブックからの前記複数の成分のサブセットを含む第２の符号ブックへアクセスすることと、
を含む方法。
【請求項６】
請求項５に記載の方法であって、
前記複数の成分の前記サブセットは、ビーム電力スケーリング成分及び／又はビーム位相スケーリング成分を含む、方法。
【請求項７】
請求項６に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項８】
請求項５に記載の方法であって、
前記複数の成分の前記サブセットは、ビーム位相スケーリング成分を含み、
前記第１の符号ブックは、ビーム電力スケーリング成分を含む、方法。
【請求項９】
無線ネットワークノード（２０）のための方法であって、
前記無線ネットワークノード（２０）により、ビーム形成されるアンテナポートのセットに対し測定を行うことにより第１の符号ブックから少なくとも１つのプリコーダ（３０）を決定することと、前記第１の符号ブック内の前記少なくとも１つのプリコーダ（３０）は、マルチビームの第２の符号ブック内の少なくとも１つのプリコーダ（３０）と１つ以上の共通成分を共有することと、前記無線ネットワークノード（２０）は、無線アクセスノード及びワイヤレスデバイス（４０）の一方であることと、
を含む方法。
【請求項１０】
請求項９に記載の方法であって、
前記１つ以上の共通成分は、ビーム電力スケーリング成分及び／又はビーム位相スケーリング成分を含む、方法。
【請求項１１】
請求項１０に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項１２】
請求項９に記載の方法であって、
前記１つ以上の共通成分は、ビーム位相スケーリング成分を含み、
前記第２の符号ブックは、ビーム電力スケーリング成分を含む、方法。
【請求項１３】
ワイヤレスデバイス（４０）のための方法であって、
前記ワイヤレスデバイス（４０）により、複数の成分を含むマルチビームの符号ブックである第１の符号ブックへアクセスすることと、前記第１の符号ブックからの前記複数の成分のサブセットは、第２の符号ブック内にあることと、
を含む方法。
【請求項１４】
請求項１３に記載の方法であって、
前記複数の成分の前記サブセットは、ビーム電力スケーリング成分及び／又はビーム位相スケーリング成分を含む、方法。
【請求項１５】
請求項１４に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項１６】
請求項１３に記載の方法であって、
前記複数の成分の前記サブセットは、ビーム位相スケーリング成分を含み、
前記第１の符号ブックは、ビーム電力スケーリング成分を含む、方法。
【請求項１７】
無線ネットワークノード（２０）であって、
処理回路（２２）を備え、前記処理回路（２２）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
無線ネットワークノード（２０）。
【請求項１８】
請求項１７に記載の無線ネットワークノード（２０）であって、
前記１つ以上の共通成分は、ビーム電力スケーリング成分及び／又はビーム位相スケーリング成分を含む、無線ネットワークノード（２０）。
【請求項１９】
請求項１８に記載の無線ネットワークノード（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、無線ネットワークノード（２０）。
【請求項２０】
請求項１７に記載の無線ネットワークノード（２０）であって、
前記１つ以上の共通成分は、ビーム位相スケーリング成分を含み、
前記第２の符号ブックは、ビーム電力スケーリング成分を含む、無線ネットワークノード（２０）。
【請求項２１】
ワイヤレスデバイス（４０）であって、
処理回路（４２）を備え、前記処理回路（４２）は、
前記ワイヤレスデバイス（４０）により、複数の成分を含むマルチビームの符号ブックである第１の符号ブックへアクセスし、及び、
前記ワイヤレスデバイス（４０）により、前記第１の符号ブックからの前記複数の成分のサブセットを含む第２の符号ブックへアクセスする、ように構成される、
ワイヤレスデバイス（４０）。
【請求項２２】
請求項２１に記載のワイヤレスデバイス（４０）であって、
前記複数の成分の前記サブセットは、ビーム電力スケーリング成分及び／又はビーム位相スケーリング成分を含む、ワイヤレスデバイス（４０）。
【請求項２３】
請求項２２に記載のワイヤレスデバイス（４０）であって、
前記第２の符号ブックの前記ビーム電力スケーリング成分は、広帯域基準で選択され、及び／又は、前記ビーム位相スケーリング成分は、サブ帯域基準で選択される、ワイヤレスデバイス（４０）。
【請求項２４】
請求項２１に記載のワイヤレスデバイス（４０）であって、
前記複数の成分の前記サブセットは、ビーム位相スケーリング成分を含み、
前記第１の符号ブックは、ビーム電力スケーリング成分を含む、ワイヤレスデバイス（４０）。
【請求項２５】
無線ネットワークノード（２０）であって、
処理回路を備え、前記処理回路は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
無線ネットワークノード（２０）。
【請求項２６】
請求項２５に記載の無線ネットワークノード（２０）であって、
前記１つ以上の共通成分は、電力スケーリング成分及び／又はビーム位相スケーリング成分を含む、無線ネットワークノード（２０）。
【請求項２７】
請求項２６に記載の無線ネットワークノード（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、無線ネットワークノード（２０）。
【請求項２８】
請求項２５に記載の無線ネットワークノード（２０）であって、
前記１つ以上の共通成分は、ビーム位相スケーリング成分を含み、
前記第２の符号ブックは、ビーム電力スケーリング成分を含む、無線ネットワークノード（２０）。
【請求項２９】
ワイヤレスデバイス（４０）であって、
処理回路を備え、前記処理回路は、
前記ワイヤレスデバイス（４０）により、複数の成分を含むマルチビームの符号ブックである第１の符号ブックへアクセスする、ように構成され、前記第１の符号ブックからの前記複数の成分のサブセットは、第２の符号ブック内にある、
ワイヤレスデバイス（４０）。
【請求項３０】
請求項２９に記載のワイヤレスデバイス（４０）であって、
前記複数の成分の前記サブセットは、ビーム電力スケーリング成分及び／又はビーム位相スケーリング成分を含む、ワイヤレスデバイス（４０）。
【請求項３１】
請求項３０に記載のワイヤレスデバイス（４０）であって、
前記第２の符号ブックの前記ビーム電力スケーリング成分は、広帯域基準で選択され、及び／又は、前記ビーム位相スケーリング成分は、サブ帯域基準で選択される、ワイヤレスデバイス（４０）。
【請求項３２】
請求項２９に記載のワイヤレスデバイス（４０）であって、
前記複数の成分の前記サブセットは、ビーム位相スケーリング成分を含み、
前記第１の符号ブックは、ビーム電力スケーリング成分を含む、ワイヤレスデバイス（４０）。
【請求項３３】
基地局（２０）のための方法であって、
前記基地局（２０）により、ビーム形成されるアンテナポートのセットに対し測定を行うことにより第１の符号ブックから少なくとも１つのプリコーダ（３０）を決定することと、
前記基地局（２０）により、前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定することと、前記第１の符号ブック内の前記少なくとも１つのプリコーダ（３０）は、前記第２の符号ブック内の前記少なくとも１つのプリコーダ（３０）と１つ以上の共通成分を共有することと、
を含む方法。
【請求項３４】
請求項３３に記載の方法であって、
前記１つ以上の共通成分は、電力スケーリング成分及び／又はビーム位相スケーリング成分を含む、方法。
【請求項３５】
請求項３４に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項３６】
請求項３３に記載の方法であって、
前記１つ以上の共通成分は、ビーム位相スケーリング成分を含み、
前記第２の符号ブックは、ビーム電力スケーリング成分を含む、方法。
【請求項３７】
ユーザ機器（４０）のための方法であって、
前記ユーザ機器（４０）により、複数の成分を含むマルチビームの符号ブックである第１の符号ブックへアクセスすることと、
前記ユーザ機器（４０）により、前記第１の符号ブックからの前記複数の成分のサブセットを含む第２の符号ブックへアクセスすることと、
を含む方法。
【請求項３８】
請求項３７に記載の方法であって、
前記複数の成分の前記サブセットは、ビーム電力スケーリング成分及び／又はビーム位相スケーリング成分を含む、方法。
【請求項３９】
請求項３８に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項４０】
請求項３７に記載の方法であって、
前記複数の成分の前記サブセットは、ビーム位相スケーリング成分を含み、
前記第１の符号ブックは、ビーム電力スケーリング成分を含む、方法。
【請求項４１】
基地局（２０）のための方法であって、
前記基地局（２０）により、ビーム形成されるアンテナポートのセットに対し測定を行うことにより第１の符号ブックから少なくとも１つのプリコーダ（３０）を決定することと、前記第１の符号ブック内の前記少なくとも１つのプリコーダ（３０）は、マルチビームの第２の符号ブック内の少なくとも１つのプリコーダ（３０）と１つ以上の共通成分を共有することと、
を含む方法。
【請求項４２】
請求項４１に記載の方法であって、
前記１つ以上の共通成分は、電力スケーリング成分及び／又はビーム位相スケーリング成分を含む、方法。
【請求項４３】
請求項４２に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項４４】
請求項４１に記載の方法であって、
前記１つ以上の共通成分は、ビーム位相スケーリング成分を含み、
前記第２の符号ブックは、ビーム電力スケーリング成分を含む、方法。
【請求項４５】
ユーザ機器（４０）のための方法であって、
前記ユーザ機器（４０）により、複数の成分を含むマルチビームの符号ブックである第１の符号ブックへアクセスすることと、前記第１の符号ブックからの前記複数の成分のサブセットは、第２の符号ブック内にあることと、
を含む方法。
【請求項４６】
請求項４５に記載の方法であって、
前記複数の成分の前記サブセットは、ビーム電力スケーリング成分及び／又はビーム位相スケーリング成分を含む、方法。
【請求項４７】
請求項４６に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項４８】
請求項４５に記載の方法であって、
前記複数の成分の前記サブセットは、ビーム位相スケーリング成分を含み、
前記第１の符号ブックは、ビーム電力スケーリング成分を含む、方法。
【請求項４９】
基地局（２０）であって、
処理回路（２２）を備え、前記処理回路（２２）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
基地局（２０）。
【請求項５０】
請求項４９に記載の基地局（２０）であって、
前記１つ以上の共通成分は、電力スケーリング成分及び／又はビーム位相スケーリング成分を含む、基地局（２０）。
【請求項５１】
請求項５０に記載の基地局（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、基地局（２０）。
【請求項５２】
請求項４９に記載の基地局（２０）であって、
前記１つ以上の共通成分は、ビーム位相スケーリング成分を含み、
前記第２の符号ブックは、ビーム電力スケーリング成分を含む、基地局（２０）。
【請求項５３】
ユーザ機器（４０）であって、
処理回路（４２）を備え、前記処理回路（４２）は、
前記ユーザ機器（４０）により、複数の成分を含むマルチビームの符号ブックである第１の符号ブックへアクセスし、及び、
前記ユーザ機器（４０）により、前記第１の符号ブックからの前記複数の成分のサブセットを含む第２の符号ブックへアクセスする、ように構成される、
ユーザ機器（４０）。
【請求項５４】
請求項５３に記載のユーザ機器（４０）であって、
前記複数の成分の前記サブセットは、ビーム電力スケーリング成分及び／又はビーム位相スケーリング成分を含む、ユーザ機器（４０）。
【請求項５５】
請求項５４に記載のユーザ機器（４０）であって、
前記第２の符号ブックの前記ビーム電力スケーリング成分は、広帯域基準で選択され、及び／又は、前記ビーム位相スケーリング成分は、サブ帯域基準で選択される、ユーザ機器（４０）。
【請求項５６】
請求項５３に記載のユーザ機器（４０）であって、
前記複数の成分の前記サブセットは、ビーム位相スケーリング成分を含み、
前記第１の符号ブックは、ビーム電力スケーリング成分を含む、ユーザ機器（４０）。
【請求項５７】
基地局（２０）であって、
処理回路を備え、前記処理回路は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
基地局（２０）。
【請求項５８】
請求項５７に記載の基地局（２０）であって、
前記１つ以上の共通成分は、電力スケーリング成分及び／又はビーム位相スケーリング成分を含む、基地局（２０）。
【請求項５９】
請求項５８に記載の基地局（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、基地局（２０）。
【請求項６０】
請求項５７に記載の基地局（２０）であって、
前記１つ以上の共通成分は、ビーム位相スケーリング成分を含み、
前記第２の符号ブックは、ビーム電力スケーリング成分を含む、基地局（２０）。
【請求項６１】
ユーザ機器（４０）であって、
処理回路を備え、前記処理回路は、
前記ユーザ機器（４０）により、複数の成分を含むマルチビームの符号ブックである第１の符号ブックへアクセスする、ように構成され、前記第１の符号ブックからの前記複数の成分のサブセットは、第２の符号ブック内にある、
ユーザ機器（４０）。
【請求項６２】
請求項６１に記載のユーザ機器（４０）であって、
前記複数の成分の前記サブセットは、ビーム電力スケーリング成分及び／又はビーム位相スケーリング成分を含む、ユーザ機器（４０）。
【請求項６３】
請求項６２に記載のユーザ機器（４０）であって、
前記第２の符号ブックの前記ビーム電力スケーリング成分は、広帯域基準で選択され、及び／又は、前記ビーム位相スケーリング成分は、サブ帯域基準で選択される、ユーザ機器（４０）。
【請求項６４】
請求項６１に記載のユーザ機器（４０）であって、
前記複数の成分の前記サブセットは、ビーム位相スケーリング成分を含み、
前記第１の符号ブックは、ビーム電力スケーリング成分を含む、ユーザ機器（４０）。
【請求項６５】
請求項１７、１８、１９、２０、２５、２６、２７、及び２８のいずれか一項に記載の無線ネットワークノード（２０）であって、前記処理回路（２２）は、メモリ（２４）及び１つ以上のプロセッサ（２６）を含む、無線ネットワークノード（２０）。
【請求項６６】
請求項２１、２２、２３、２４、２９、３０、３１、及び３２のいずれか一項に記載のワイヤレスデバイス（４０）であって、前記処理回路（４２）は、メモリ（４４）及び１つ以上のプロセッサ（４６）を含む、ワイヤレスデバイス（４０）。
【請求項６７】
請求項５３、５４、５５、５６、６１、６２、６３、及び６４のいずれか一項に記載のユーザ機器（４０）であって、前記処理回路（４２）は、メモリ（４４）及び１つ以上のプロセッサ（４６）を含む、ユーザ機器（４０）。
【請求項６８】
請求項４９、５０、５１、５２、５７、５８、５９、及び６０のいずれか一項に記載の基地局（２０）であって、前記処理回路（２２）は、メモリ（２４）及び１つ以上のプロセッサ（２６）を含む、基地局（２０）。
【請求項６９】
非一時的なコンピュータ読取可能な記憶媒体を含むコンピュータプログラムプロダクトであって、前記媒体において具現化されたコンピュータ読取可能なプログラムコードを有し、前記コンピュータ読取可能なプログラムコードは、請求項１〜１６及び３３〜４８のいずれかに記載の方法のうちいずれか１つ以上を実行するコンピュータ読取可能なコードを含む、コンピュータプログラムプロダクト。
【請求項７０】
請求項６９のコンピュータプログラムを含む担体であって、前記担体は、電子信号、光学信号、無線信号、又はコンピュータ読取可能な記憶媒体、のうちの１つである、担体。
【請求項７１】
無線ネットワークノード（２０）のための実行可能な命令群を記憶するように構成される非一時的なコンピュータ読取可能なメモリであって、前記実行可能な命令群は、前記処理回路（２２）の１つ以上のプロセッサ（２６）により実行されると、請求項１、２、３、４、９、１０、１１、及び１２のいずれか一項に記載の方法のいずれかを前記無線ネットワークノード（２０）に実行させる、非一時的なコンピュータ読取可能なメモリ。
【請求項７２】
ワイヤレスデバイス（４０）のための実行可能な命令群を記憶するように構成される非一時的なコンピュータ読取可能なメモリであって、前記実行可能な命令群は、前記処理回路（４２）の１つ以上のプロセッサ（４６）により実行されると、請求項５、６、７、８、１３、１４、１５、及び１６のいずれか一項に記載の方法のいずれかを前記ワイヤレスデバイス（４０）に実行させる、非一時的なコンピュータ読取可能なメモリ。
【請求項７３】
ユーザ機器（４０）のための実行可能な命令群を記憶するように構成される非一時的なコンピュータ読取可能なメモリであって、前記実行可能な命令群は、前記処理回路（４２）の１つ以上のプロセッサ（４６）により実行されると、請求項３７、３８、３９、４０、４５、４６、４７、及び４８のいずれか一項に記載の方法のいずれかを前記ユーザ機器（４０）に実行させる、非一時的なコンピュータ読取可能なメモリ。
【請求項７４】
基地局（２０）のための実行可能な命令群を記憶するように構成される非一時的なコンピュータ読取可能なメモリであって、前記実行可能な命令群は、前記処理回路（２２）の１つ以上のプロセッサ（２６）により実行されると、請求項３３、３４、３５、３６、４１、４２、４３、及び４４のいずれか一項に記載の方法のいずれかを前記基地局（２０）に実行させる、非一時的なコンピュータ読取可能なメモリ。
【請求項７５】
無線ネットワークノード（２０）であって、
測定モジュール（３３）を備え、前記測定モジュール（３３）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
無線ネットワークノード（２０）。
【請求項７６】
ワイヤレスデバイス（４０）であって、
送受信機モジュール（４９）を備え、前記送受信機モジュール（４９）は、
複数の成分を含むマルチビームの符号ブックである第１の符号ブックへアクセスし、及び、
前記第１の符号ブックからの前記複数の成分のサブセットを含む第２の符号ブックへアクセスする、ように構成される、
ワイヤレスデバイス（４０）。
【請求項７７】
無線ネットワークノード（２０）であって、
測定モジュール（３３）を備え、前記測定モジュール（３３）は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
無線ネットワークノード（２０）。
【請求項７８】
ワイヤレスデバイス（４０）であって、
送受信機モジュール（４９）を備え、前記送受信機モジュール（４９）は、
複数の成分を含むマルチビームの符号ブックである第１の符号ブックへアクセスする、ように構成され、前記第１の符号ブックからの前記複数の成分のサブセットは、第２の符号ブック内にある、
ワイヤレスデバイス（４０）。
【発明の詳細な説明】
【技術分野】
【０００１】
ワイヤレス通信であり、特に、ハイブリッド型非プリコーデッドビーム形成（hybrid  non-precoded  and  beamformed）ＣＳＩリファレンス信号の使用を対象とする高度ＣＳＩレポーティングである。
【背景技術】
【０００２】
マルチアンテナの技法は、ワイヤレス通信システムのデータレート及び信頼性を有意に増加させることができる。その性能は、特に、送信機及び受信機の双方が複数のアンテナを具備する場合に改善され、これは複数入力複数出力（ＭＩＭＯ）通信チャネルに帰結する。そうしたシステム及び／又は関連する技法は、通常、ＭＩＭＯとして言及される。
【０００３】
３ＧＰＰ  ＬＴＥ（long  term  evolution）規格は、現在のところ、拡張されるＭＩＭＯサポートと共に進化している。ＬＴＥにおけるコアコンポーネントは、ＭＩＭＯアンテナ配備及びＭＩＭＯ関連の技法のサポートである。現在のところ、ＬＴＥアドバンストは、チャネル依存のプリコーディングを伴う１６個までの送信アンテナについての８レイヤの空間多重化モードをサポートし、ＬＴＥリリース１４では、３２個までの送信アンテナについてのサポートが追加されるであろう。空間多重化モードは、好ましいチャネル条件における高いデータレートを狙いとする。その空間多重化の動作の様子が図１に提供されている。
【０００４】
見て取れるように、情報搬送シンボルベクトルｓ１０に、ＮＴ×ｒのプリコーダ行列Ｗ，１２が乗算され、それが（ＮＴ個のアンテナポート１４に対応する）ＮＴ次元のベクトル空間のサブ空間内で送信エネルギーを分配する働きをする。プリコーダ行列１２は、典型的には、プリコーダ行列候補の符号ブックから選択され、典型的には、プリコーダ行列インジケータ（ＰＭＩ）によって指し示され、ＰＭＩは、所与の数のシンボルストリームのための上記符号ブック内の一意なプリコーダ行列を特定する。ｓ１０内のｒ個のシンボルは、各々がレイヤに相当し、ｒは送信ランクとして言及される。この手法で、同一の時間／周波数リソースエレメント（ＴＦＲＥ）上で同時に複数のシンボルを送信できることから、空間多重化が達成される。シンボル数ｒは、典型的には、現行のチャネル特性に適するように適応化される。
【０００５】
ＬＴＥは、ダウンリンクにおいてＯＦＤＭを（及びアップリンクにおいてＤＦＴプリコーデッドＯＦＤＭを）使用し、そこで、サブキャリアｎ上のあるＴＦＲＥ（又は代替的にデータＴＦＲＥ番号ｎ）についての受信されるＮＲ×１ベクトルｙｎは、よって、次のようにモデル化される
ｙｎ＝ＨｎＷｓｎ＋ｅｎ  式１
ここで、ｅｎは、ランダムプロセスの実現として得られる雑音／干渉ベクトルである。プリコーダＷは、広帯域プリコーダであることができ、これは周波数にわたって一定であるか又は周波数選択的である。
【０００６】
プリコーダ行列Ｗ１２は、ＮＲ×ＮＴのＭＩＭＯチャネル行列Ｈｎの特徴に合うように選択されることが多く、いわゆるチャネル依存プリコーディングに帰結する。これは、通常、閉ループプリコーディングとしても言及され、本質的には、送信されるエネルギーの多くをワイヤレスデバイスへ伝達するという意味において強いサブ空間へ、送信エネルギーを集中させることを追求する。加えて、プリコーダ行列１２は、チャネルを直交化することを追求するためにも選択されてよく、これは、ワイヤレスデバイスにおける適切な線形等化後にレイヤ間干渉が低減されることを意味する。
【０００７】
【数１】
2020504465.tif 000003
【０００８】
ＬＴＥダウンリンクのための閉ループプリコーディングでは、ワイヤレスデバイスは、フォワードリンク（ダウンリンク）におけるチャネル測定に基づいて、使用するのに好適なプリコーダについての推奨を基地局、例えばｅＮｏｄｅＢ（ｅＮＢ）へ送信する。基地局は、ワイヤレスデバイスの送信モードに応じたフィードバックを提供するようにワイヤレスデバイスを構成し、ＣＳＩ−ＲＳを送信し、及び、ワイヤレスデバイスを、ＣＳＩ−ＲＳの測定を使用して当該ワイヤレスデバイスが符号ブックから選択する推奨プリコーディング行列をフィードバックするように構成し得る。大きな帯域幅をカバーするはずである単一のプリコーダ（広帯域プリコーディング）がフィードバックされてもよい。チャネルの周波数変動に合わせて、代わりに、周波数選択的なプリコーディングのレポート、例えばサブ帯域ごとに１つである数個のプリコーダ、をフィードバックすることも有益であり得る。これは、チャネル状態情報（ＣＳＩ）フィードバックのより一般的なケースの一例であり、当該フィードバックは、ワイヤレスデバイスへの以後の送信においてｅＮｏｄｅＢを支援するために、推奨プリコーダ以外の他の情報をフィードバックすることをも包含する。こうした他の情報は、チャネル品質インジケータ（ＣＱＩ）及び送信ランクインジケータ（ＲＩ）を含み得る。
【０００９】
ＣＳＩフィードバックに関連して、サブ帯域は、複数の隣接ＰＲＢペアとして定義される。ＬＴＥでは、サブ帯域のサイズ（即ち、隣接ＰＲＢペアの数）は、システム帯域幅と、ＣＳＩレポーティングの構成が定期的になされているかそれとも不定期かと、フィードバックのタイプ（即ち、上位レイヤ構成によるフィードバックが構成されているかそれともワイヤレスデバイス選択によるサブ帯域フィードバックが構成されているか）と、に依存する。サブ帯域と広帯域との違いを示す一例が図２に示されている。この例では、サブ帯域は６つの隣接ＰＲＢからなる。ただし、図示の簡略化のために図２には２つのサブ帯域のみが示されている。概して、システム帯域幅内の全てのＰＲＢペアは、各々が固定数のＰＲＢペアからなる複数のサブ帯域へ分割される。これに対し、広帯域にはシステム帯域幅内の全てのＰＲＢペアが関与する。上述のように、ワイヤレスデバイスが基地局により広帯域ＰＭＩをレポートするように構成されている場合、ワイヤレスデバイスは、システム帯域幅内の全てのＰＲＢペアからの測定値を考慮に入れた単一のプリコーダをフィードバックし得る。代替的に、ワイヤレスデバイスがサブ帯域ＰＭＩをレポートするように構成されている場合、ワイヤレスデバイスは、サブ帯域につき１つである複数のプリコーダをフィードバックし得る。サブ帯域プリコーダに加えて、ワイヤレスデバイスは、広帯域ＰＭＩをもフィードバックしてもよい。
【００１０】
ＬＴＥでは、ＰＵＳＣＨ  ＣＳＩレポーティングについて、次の２つのタイプのサブ帯域フィードバックタイプが可能である：（１）上位レイヤの構成によるサブ帯域フィードバック、及び（２）ワイヤレスデバイスの選択によるサブ帯域フィードバック。上位レイヤ構成によるサブ帯域フィードバックでは、サブ帯域の各々についてＰＭＩ及び／又はＣＱＩをワイヤレスデバイスはフィードバックし得る。上位レイヤ構成によるサブ帯域フィードバックのためのＰＲＢペアの数で換算されるサブ帯域のサイズは、システム帯域幅の関数であり、表１に列記される。ワイヤレスデバイス選択によるサブ帯域フィードバックでは、システム帯域幅内の全てのサブ帯域のうち選択された数のサブ帯域についてのみ、ＰＭＩ及び／又はＣＱＩをワイヤレスデバイスはフィードバックする。ＰＲＢペアの数で換算されるサブ帯域のサイズ及びフィードバックされるべきサブ帯域の数は、システム帯域幅の関数であり、表２に列記される。
【００１１】
【表１】
2020504465.tif 000004
【００１２】
【表２】
2020504465.tif 000005
【００１３】
ワイヤレスデバイスからＣＳＩフィードバックが与えられると、基地局は、ワイヤレスデバイスへ送信するために使用したいと望む、プリコーティング行列、送信ランク、及び変調符号化状態（ＭＣＳ）を含む送信パラメータを決定する。これらの送信パラメータは、ワイヤレスデバイスが推奨するものとは異なる場合がある。したがって、ダウンリンク制御情報（ＤＣＩ）においてランクインジケータ及びＭＣＳがシグナリングされてよく、また、ＤＣＩにおいてプリコーティング行列がシグナリングされることができ、又は、等価のチャネルをそこから測定可能な復調リファレンス信号を基地局は送信することができる。送信ランク及び、よって、空間多重化されるレイヤの数は、プリコーダＷの列数に反映される。効率的な性能のためには、チャネル特性にマッチする送信ランクが選択されることが重要である。
【００１４】
ＬＴＥリリース１０では、ダウンリンクのチャネル状態情報を推定する意図のために、ＣＳＩ−ＲＳという新たなリファレンスシンボルシーケンスが導入された。ＣＳＩ−ＲＳは、上記目的でリリース８〜９において使用された共通リファレンスシンボル（ＣＲＳ）にＣＳＩフィードバックを基づかせることに対していくつもの利点を提供する。第一に、ＣＳＩ−ＲＳは、データ信号の復調のためには使用されず、よって同じ密度を要しない（即ち、実質的にＣＳＩ−ＲＳのオーバヘッドはより少ない）。第二に、ＣＳＩ−ＲＳは、ＣＳＩフィードバック測定を構成するための、格段に高い柔軟性のある手段を提供する（例えば、どのＣＳＩ−ＲＳリソースを測定すべきかを、ワイヤレスデバイスに固有のやり方で構成することができる）。
【００１５】
基地局から送信されるＣＳＩ−ＲＳを測定することにより、ワイヤレスデバイスは、ＣＳＩ−ＲＳが横切る実効的なチャネルを、無線伝播チャネル及びアンテナ利得を含めて推定することができる。より数学的に厳密にいうと、これは、既知のＣＳＩ−ＲＳ信号ｘが送信される場合にワイヤレスデバイスが送信信号と受信信号との間の連結（即ち、実効的なチャネル）を推定できることを示唆する。よって、送信において仮想化が行われない場合、受信信号ｙを次のように表現することができ、
ｙ＝Ｈｘ＋ｅ  式３
ワイヤレスデバイスは実効チャネルＨを推定し得る。
【００１６】
ＬＴＥリリース１０では８個までのＣＳＩ−ＲＳポートを構成することができ、即ち、ワイヤレスデバイスは８個までの送信アンテナポートから上記チャネルを推定することができる。ＬＴＥリリース１３では、構成することのできるＣＳＩ−ＲＳポートの数は１６ポートまで拡張されている。ＬＴＥリリース１４では、３２個までのＣＳＩ−ＲＳポートをサポートすることが検討されている。
【００１７】
ＣＳＩ−ＲＳに関連するのは、（ミューティングされたＣＳＩ−ＲＳとしても知られる）ゼロ電力のＣＳＩ−ＲＳリソースの概念である。これらのリソースは通常のＣＳＩ−ＲＳリソースと同じように構成され、それにより、それらリソースの周囲にデータ送信がマッピングされることをワイヤレスデバイスは理解する。ゼロ電力のＣＳＩ−ＲＳリソースの意図するところは、おそらくは近隣のセル／送信ポイントにおいて送信される、対応する非ゼロ電力のＣＳＩ−ＲＳの信号対干渉及び雑音比（ＳＩＮＲ）を高めるために、対応するリソース上での送信をネットワークがミューティングすることを可能にすることである。ＬＴＥリリース１１のために、干渉及び雑音を測定するためにワイヤレスデバイスが使用を義務付けられる特別なゼロ電力のＣＳＩ−ＲＳが導入された。ワイヤレスデバイスは、サービングｅＮＢがゼロ電力のＣＳＩ−ＲＳリソース上で送信をしていないものと想定することができ、したがって、受信される電力は干渉及び雑音の指標として使用されることができる。
【００１８】
特定されるＣＳＩ−ＲＳリソースに基づき、及び干渉測定構成（例えば、ゼロ電力のＣＳＩ−ＲＳリソース）に基づいて、ワイヤレスデバイスは実効チャネル並びに雑音及び干渉を推定することができ、ひいては、その特定のチャネルに最もよく適合するものとして推奨すべきランク、プリコーティング行列、及びＭＣＳをも決定することができる。
【００１９】
ＣＳＩ−ＲＳのこれまでの説明では、いわゆる非プリコーデッド（non-precoded）ＣＳＩ−ＲＳを想定していた。これは、単一のアンテナエレメント又はアンテナアレイのアンテナサブアレイに１つのＣＳＩ−ＲＳアンテナポートがマッピングされることを意味する。このケースにおけるＣＳＩ−ＲＳは、そこで、セル固有であること、即ち、セルのカバレッジエリア全域にブロードキャストされること、が意図される。しかしながら、ＬＴＥリリース１３では、ＣＳＩ−ＲＳ送信方式の新たなタイプ、いわゆるビーム形成（又はプリコーデッド）ＣＳＩ−ＲＳが導入された。これらのＣＳＩ−ＲＳは、セル固有ではなくＵＥ固有であることが意図され、そのため、各ワイヤレスデバイスに専用のＣＳＩ−ＲＳリソースが割り当てられる。こうしたビーム形成ＣＳＩ−ＲＳは、典型的には、セルのカバレッジエリア全域ではなく、対象となるワイヤレスデバイスをカバーすることのみを意図することから、典型的には、非プリコーデッドＣＳＩ−ＲＳよりもはるかに少数のポートを含有し、より狭いビームに対応する。ＬＴＥの専門用語を使用すると、非プリコーデッドＣＳＩ−ＲＳ送信方式は“クラスＡ  ｅＭＩＭＯタイプ”と称され、ビーム形成ＣＳＩ−ＲＳ送信方式は“クラスＢ  ｅＭＩＭＯタイプ”と称される。
【００２０】
クラスＢのアプローチの使用に伴う問題は、ＵＥに対してＣＳＩ−ＲＳをどのようにビーム形成すべきか、即ち、どの方向にビームをステアリングすべきか、をｅＮＢが知っている必要があることである。この問題を解決するために、典型的なアプローチは、いわゆるハイブリッドクラスＡ／Ｂ動作を使用することである。ここで、第１のステップで、多数のアンテナポートを伴うクラスＡ  ＣＳＩ−ＲＳがｅＮＢにより送信され、大規模な符号ブックからのＰＭＩレポートがワイヤレスデバイスによりｅＮＢへフィードバックされる。ＰＭＩにおいて指し示されたプリコーダは、よって、ＵＥのための最良のビーム方向を指し示す。後続のステップで、ｅＮＢは少数のアンテナポートを伴うクラスＢ  ＣＳＩ−ＲＳをＵＥへ送信し、ここで、ＣＳＩ−ＲＳのビーム形成は、クラスＡレポートにおいてレポートされたプリコーダに基づく。ＵＥの望ましいビーム方向が変化していないことを確認するために、ｅＮＢは典型的には、所定の間隔で（例えば、クラスＢ  ＣＳＩ−ＲＳよりも１０〜２０倍大きい周期で）クラスＡ  ＣＳＩ−ＲＳを送信するであろう。
【００２１】
実施形態は、二次元アンテナアレイと共に使用されてよく、提示される実施形態のうちのいくつかはそうしたアンテナを使用する。そうしたアンテナアレイは、水平次元に対応するアンテナ列の数Ｎｈ、垂直次元に対応するアンテナ行の数Ｎｖ、及び異なる偏波に対応する次元の数Ｎｐにより（部分的に）記述され得る。アンテナの合計数は、よって、Ｎ＝ＮｈＮｖＮｐである。指摘されるべきこととして、アンテナの概念は、物理的なアンテナエレメントの何らかの仮想化（例えば、線形マッピング）への言及であり得るという意味において、非限定的である。例えば、物理的なサブエレメントのペアに同じ信号が供給されてもよく、よって、それらペアは仮想化された同じアンテナポートを共有し得る。
【００２２】
交差偏波アンテナエレメントを伴う４×４（即ち、４行×４列）のアレイの一例が図３に示されている。
【００２３】
プリコーディングは、送信に先立ってアンテナごとに異なるビーム形成重みを信号に乗算することであると解釈されてもよい。典型的なアプローチは、アンテナ形成ファクタにプリコーダを適合させること、即ち、プリコーダの符号ブックを設計する際にＮｈ、Ｎｖ及びＮｐを考慮に入れること、である。一般的なタイプのプリコーディングは、ＤＦＴプリコーダを使用するものであり、ここで、Ｎ１個のアンテナを伴う単一偏波の等間隔直線アレイ（ＵＬＡ）を用いる単一レイヤの送信をプリコーディングするために使用されるプリコーダベクトルを、次のように定義する
【００２４】
【数２】
2020504465.tif 000006
【００２５】
【数３】
2020504465.tif 000007
【００２６】
Ｎ１×Ｎ２個のアンテナを伴う二次元の等間隔平面アレイ（ＵＰＡ）のための対応するプリコーダベクトルを、２つのプリコーダベクトルのクロネッカー積を次のように扱うことにより生成し得る
【００２７】
【数４】
2020504465.tif 000008
【００２８】
ここで、Ｏ２は、Ｎ２次元における整数のオーバサンプリングファクタである。各プリコーダｗ２Ｄ（ｌ，ｍ）は、２Ｄ  ＤＦＴビームを形成し、全てのプリコーダ｛ｗ２Ｄ（ｌ，ｍ），ｌ＝０，…，Ｎ１Ｏ１−１；ｍ＝０，…，Ｎ２Ｏ２−１｝は、ＤＦＴビームのグリッドを形成する。一例が図４に示されており、（Ｎ１，Ｎ２）＝（４，２）及び（Ｏ１，Ｏ２）＝（４，４）である。ＤＦＴビームのグリッドの各々は、方位角及び仰俯角での統合的な方向により記述され得る空間方向を指す。以下のセクションを通じて、用語‘ＤＦＴビーム’及び‘ＤＦＴプリコーダ’は互換可能に使用される。
【００２９】
より一般的には、インデックスペア（ｌ，ｍ）を伴うビームは、送信においてプリコーディング重みｗ２Ｄ（ｌ，ｍ）が使用される際に最大のエネルギーが送信される方向、により識別され得る。また、ＤＦＴビームの、メインビームから離れる方向におけるビームパターンであるサイドローブを低減するために、強度漸減器（magnitude  taper）がＤＦＴビームと共に使用され得る。強度漸減を伴うＮ１次元及びＮ２次元に沿った１Ｄ  ＤＦＴプリコーダを、次のように表現し得る
【００３０】
【数５】
2020504465.tif 000009
【００３１】
【数６】
2020504465.tif 000010
【００３２】
ここで、ｓ１＝ｉ１Ｎ２＋ｉ２及びｓ２＝ｋ１Ｎ２＋ｋ２（但し、０≦ｉ２＜Ｎ２，０≦ｉ１＜Ｎ１，０≦ｋ２＜Ｎ２、及び０≦ｋ１＜Ｎ１）は、（ｉ１，ｉ２）が第１のアンテナエレメント（又はポート）へマッピングされるビームｗ（ｌ，ｍ）の第１のエントリへ指し示し、（ｋ１，ｋ２）が第２のアンテナエレメント（又はポート）へマッピングされるビームｗ（ｌ，ｍ）の第２のエントリへ指し示すように、ビームｗ（ｌ，ｍ）の２つのエントリを識別する整数である。
【００３３】
【数７】
2020504465.tif 000011
【００３４】
【数８】
2020504465.tif 000012
【００３５】
【数９】
2020504465.tif 000013
【００３６】
【数１０】
2020504465.tif 000014
【００３７】
【数１１】
2020504465.tif 000015
【００３８】
各ランクについて、プリコーダの全ての候補が‘プリコーダ符号ブック’又は‘符号ブック’を形成する。ワイヤレスデバイスは、まずに、推定されるダウンリンク広帯域チャネルベースのＣＳＩ−ＲＳのランクを決定することができる。ランクが識別された後、各サブ帯域について、ワイヤレスデバイスは次に、決定されたランクのための符号ブック内の全てのプリコーダ候補を探索して、当該サブ帯域のための最良のプリコーダを見つけ出す。例えば、ランク＝１のケースでは、ワイヤレスデバイスは、ｗ２Ｄ，ＤＰ（ｋ，ｌ，Φ）を探索して、あり得る全ての（ｋ，ｌ，Φ）値を求めるであろう。ランク＝２のケースでは、ワイヤレスデバイスは、Ｗ２Ｄ，ＤＰ（２）（ｋ，ｌ，φ１，φ２）を探索して、あり得る全ての（ｋ，ｌ，Φ１，Φ２）値を求めるであろう。
【００３９】
マルチユーザＭＩＭＯでは、同じセル内の２人以上のユーザが、同一の時間―周波数リソース上で同時にスケジューリングされる。即ち、２つ以上の独立したデータストリームが、異なるワイヤレスデバイスへ同時に送信され、それぞれのストリームを分離するために空間ドメインが使用される。いくつものストリームを同時に送信することにより、システムのキャパシティを増加させることができる。しかしながら、これは、ストリーム当たりのＳＩＮＲを低くするという代償を伴う。というのも、ストリーム間で電力を共有する必要があり、ストリーム同士は互いに干渉し合うことになるためである。
【００４０】
アンテナアレイサイズを増大する場合、増大されるビーム形成利得はより高いＳＩＮＲにつながるであろう。しかしながら、ユーザのスループットは（大きなＳＩＮＲについて）ＳＩＮＲに対数的にのみ依存するため、代わりに、ＳＩＮＲにおける利得と引き換えに多重化利得を得ることが有益であり、多重化利得は、多重化されるユーザの数と共に線形的に増大する。
【００４１】
同時にスケジューリングされる複数のユーザ間でヌル形成を適切に行う目的で、正確なＣＳＩを要する。現行のＬＴＥリリース１３規格では、ＭＵ−ＭＩＭＯについて特別なＣＳＩモードは存在しないので、ＭＵ−ＭＩＭＯスケジューリング及びプリコーダ構築は、単一ユーザＭＩＭＯのために設計された既存のＣＳＩレポーティング（即ち、ＤＦＴベースのプリコーダを指し示すＰＭＩ、ＲＩ、及びＣＱＩ）に基づかなければならない。これは、ＭＵ−ＭＩＭＯにとって非常に困難であることが判明しており、なぜなら、レポートされるプリコーダは、あるユーザにとって最も強いチャネル方向についての情報のみを含んでおり、よって、適切なヌル形成を行うために十分な情報を含んでいないかもしれないためである。これは、同時にスケジューリングされるユーザ間に大量の干渉を招くこととなり、ＭＵ−ＭＩＭＯの恩恵を損ないかねない。
【００４２】
【数１２】
2020504465.tif 000016
【００４３】
上述のような単一偏波ＵＬＡのための適切な変換であった（回転済み）ＤＦＴ行列を、二重偏波の２Ｄ等間隔平面アレイ（ＵＰＡ）のより一般的なケースにも適合するように拡張することから始めよう。
【００４４】
【数１３】
2020504465.tif 000017
【００４５】
【数１４】
2020504465.tif 000018
【００４６】
【数１５】
2020504465.tif 000019
【００４７】
【数１６】
2020504465.tif 000020
【００４８】
【数１７】
2020504465.tif 000021
【００４９】
【数１８】
2020504465.tif 000022
【００５０】
【数１９】
2020504465.tif 000023
【００５１】
【数２０】
2020504465.tif 000024
【００５２】
【数２１】
2020504465.tif 000025
【００５３】
【数２２】
2020504465.tif 000026
【００５４】
【数２３】
2020504465.tif 000027
【発明の概要】
【発明が解決しようとする課題】
【００５５】
ＤＦＴベースのプリコーダを伴う暗黙的なＣＳＩレポートに基づくＭＵ−ＭＩＭＯのための既存の解決策は、同時にスケジューリングされるユーザ間の干渉を正確に推定し及び低減することに問題を抱えており、劣悪なＭＵ−ＭＩＭＯの性能をもたらす。
【００５６】
先に提示した方式のようなマルチビームプリコーダ方式は、ＭＵ−ＭＩＭＯのより良好な性能をもたらすかもしれない。しかしながら、これらのプリコーダ方式は、非プリコーデッドＣＳＩ−ＲＳを伴うクラスＡタイプの動作のために設計されている。特にハイブリッドクラスＡ／Ｂ様式での使用を考慮して、ビーム形成ＣＳＩ−ＲＳを伴うクラスＢタイプの動作のためにプリコーダ設計をどのように行うべきかは、未解決の課題である。
【課題を解決するための手段】
【００５７】
いくつかの実施形態は、ハイブリッド型非プリコーデッドビーム形成ＣＳＩリファレンス信号の使用を対象とする高度ＣＳＩレポーティングのための方法、無線ネットワークノード、ワイヤレスデバイス、及びユーザ機器を有利に提供する。１つの観点によれば、無線ネットワークノードのための方法が提供される。無線ネットワークノードにより、ビーム形成されるアンテナポートのセットに対し測定を行うことにより、第１の符号ブックから少なくとも１つのプリコーダが決定される。無線ネットワークノードにより、ビーム形成されるアンテナポートのセットよりも大きい非プリコーデッドなアンテナポートのセットに対し測定を行うことにより、マルチビームの第２の符号ブックから少なくとも１つのプリコーダが決定される。第１の符号ブック内の少なくとも１つのプリコーダは、第２の符号ブック内の少なくとも１つのプリコーダと１つ以上の共通成分を共有する。
【００５８】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。いくつかの実施形態において、ワイヤレスデバイスによりレポートされる第２のプリコーダに含まれる電力スケーリング成分は、送信側の無線ネットワークノードにより、ビーム形成されるアンテナポート上の電力レベルをスケーリングするために使用される。いくつかの実施形態において、ワイヤレスデバイスによりレポートされる第２のプリコーダのビーム電力スケーリング成分は、第１のプリコーダを決定する前に、ビーム形成されるアンテナポートにワイヤレスデバイスにより適用される。いくつかの実施形態において、アンテナポートの電力スケーリングは、無線ネットワークノードによりワイヤレスデバイスへシグナリングされる。
【００５９】
別の観点によれば、ワイヤレスデバイスのための方法が提供される。ワイヤレスデバイスにより、第１の符号ブックへのアクセスが行われる。第１の符号ブックは、複数の成分を含むマルチビームの符号ブックである。ワイヤレスデバイスにより、第２の符号ブックへのアクセスが行われる。第２の符号ブックは、第１の符号ブックからの複数の成分のサブセットを含む。
【００６０】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。いくつかの実施形態において、ワイヤレスデバイスによりレポートされる第１の符号ブックからのプリコーダにおけるビーム電力スケーリング成分は、第２の符号ブックからのプリコーダを決定する前に、ビーム形成されるアンテナポートにワイヤレスデバイスにより適用される。いくつかの実施形態において、アンテナポートの電力スケーリングは、無線ネットワークノードによりワイヤレスデバイスへシグナリングされる。
【００６１】
また別の観点によれば、無線ネットワークノードのための方法が提供される。ビーム形成されるアンテナポートのセットに対し測定を行うことにより、第１の符号ブックから少なくとも１つのプリコーダが決定される。第１の符号ブック内の少なくとも１つのプリコーダは、マルチビームの第２の符号ブック内の少なくとも１つのプリコーダと１つ以上の共通成分を共有する。無線ネットワークノードは、無線アクセスノード及びワイヤレスデバイスの一方である。
【００６２】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。いくつかの実施形態において、ワイヤレスデバイスによりレポートされる第２のプリコーダに含まれる電力スケーリング成分は、送信側の無線ネットワークノードにより、ビーム形成されるアンテナポート上の電力レベルをスケーリングするために使用される。いくつかの実施形態において、ワイヤレスデバイスによりレポートされる第２のプリコーダのビーム電力スケーリング成分は、第１のプリコーダを決定する前に、ビーム形成されるアンテナポートにワイヤレスデバイスにより適用される。いくつかの実施形態において、アンテナポートの電力スケーリングは、無線ネットワークノードによりワイヤレスデバイスへシグナリングされる。
【００６３】
別の観点によれば、ワイヤレスデバイスのための方法が提供される。ワイヤレスデバイスにより、第１の符号ブックへのアクセスが行われる。第１の符号ブックは、複数の成分を含むマルチビームの符号ブックである。第１の符号ブックからの複数の成分のサブセットは、第２の符号ブック内にある。
【００６４】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。いくつかの実施形態において、ビーム形成されるアンテナポート上でレポートされる、第１の符号ブックからのプリコーダにおけるビーム電力スケーリング成分が、第２の符号ブックからのプリコーダを決定する前に適用される。いくつかの実施形態において、無線ネットワークノードから（直接的に又は間接的に）シグナリングされるアンテナポートの電力スケーリングが受信される。
【００６５】
また別の観点によれば、処理回路を備える無線ネットワークノードが提供される。処理回路は、ビーム形成されるアンテナポートのセットに対し測定を行うことにより第１の符号ブックから少なくとも１つのプリコーダを決定する、ように構成される。処理回路は、ビーム形成されるアンテナポートのセットよりも大きい非プリコーデッドなアンテナポートのセットに対し測定を行うことにより第２のマルチビームから少なくとも１つのプリコーダを決定する、ようにさらに構成される。第１の符号ブック内の少なくとも１つのプリコーダは、第２の符号ブック内の少なくとも１つのプリコーダと１つ以上の共通成分を共有する。
【００６６】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００６７】
別の観点によれば、処理回路を備えるワイヤレスデバイスが提供される。処理回路は、第１の符号ブックへアクセスする、ように構成される。第１の符号ブックは、複数の成分を含むマルチビームの符号ブックである。処理回路は、第２の符号ブックへアクセスする、ようにさらに構成される。第２の符号ブックは、第１の符号ブックからの複数の成分のサブセットを含む。
【００６８】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００６９】
また別の観点によれば、処理回路を備える無線ネットワークノードが提供される。処理回路は、ビーム形成されるアンテナポートのセットに対し測定を行うことにより第１の符号ブックから少なくとも１つのプリコーダを決定する、ように構成される。第１の符号ブック内の少なくとも１つのプリコーダは、マルチビームの第２の符号ブック内の少なくとも１つのプリコーダと１つ以上の共通成分を共有する。
【００７０】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００７１】
また別の観点によれば、処理回路を備えるワイヤレスデバイスが提供される。処理回路は、第１の符号ブックへアクセスする、ように構成される。第１の符号ブックは、複数の成分を含むマルチビームの符号ブックである。第１の符号ブックからの複数の成分のサブセットは、第２の符号ブック内にある。
【００７２】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００７３】
１つの観点によれば、基地局のための方法が提供される。基地局により、ビーム形成されるアンテナポートのセットに対し測定を行うことにより、第１の符号ブックから少なくとも１つのプリコーダが決定される。基地局により、ビーム形成されるアンテナポートのセットよりも大きい非プリコーデッドなアンテナポートのセットに対し測定を行うことにより、マルチビームの第２の符号ブックから少なくとも１つのプリコーダが決定される。第１の符号ブック内の少なくとも１つのプリコーダは、第２の符号ブック内の少なくとも１つのプリコーダと１つ以上の共通成分を共有する。
【００７４】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００７５】
別の観点によれば、ユーザ機器のための方法が提供される。ユーザ機器により、第１の符号ブックへのアクセスが行われる。第１の符号ブックは、複数の成分を含むマルチビームの符号ブックである。ユーザ機器により、第２の符号ブックへのアクセスが行われる。第２の符号ブックは、第１の符号ブックからの複数の成分のサブセットを含む。
【００７６】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００７７】
また別の観点によれば、基地局のための方法が提供される。ビーム形成されるアンテナポートのセットに対し測定を行うことにより、第１の符号ブックから少なくとも１つのプリコーダが決定される。第１の符号ブック内の少なくとも１つのプリコーダは、マルチビームの第２の符号ブック内の少なくとも１つのプリコーダと１つ以上の共通成分を共有する。基地局は、無線アクセスノード及びユーザ機器の一方である。
【００７８】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００７９】
別の観点によれば、ユーザ機器のための方法が提供される。ユーザ機器により、第１の符号ブックへのアクセスが行われる。第１の符号ブックは、複数の成分を含むマルチビームの符号ブックである。第１の符号ブックからの複数の成分のサブセットは、第２の符号ブック内にある。
【００８０】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００８１】
また別の観点によれば、処理回路を備える基地局が提供される。処理回路は、ビーム形成されるアンテナポートのセットに対し測定を行うことにより第１の符号ブックから少なくとも１つのプリコーダを決定する、ように構成される。処理回路は、ビーム形成されるアンテナポートのセットよりも大きい非プリコーデッドなアンテナポートのセットに対し測定を行うことにより第２のマルチビームから少なくとも１つのプリコーダを決定する、ようにさらに構成される。第１の符号ブック内の少なくとも１つのプリコーダは、第２の符号ブック内の少なくとも１つのプリコーダと１つ以上の共通成分を共有する。
【００８２】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００８３】
別の観点によれば、処理回路を備えるユーザ機器が提供される。処理回路は、第１の符号ブックへアクセスする、ように構成される。第１の符号ブックは、複数の成分を含むマルチビームの符号ブックである。処理回路は、第２の符号ブックへアクセスする、ようにさらに構成される。第２の符号ブックは、第１の符号ブックからの複数の成分のサブセットを含む。
【００８４】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００８５】
また別の観点によれば、処理回路を備える基地局が提供される。処理回路は、ビーム形成されるアンテナポートのセットに対し測定を行うことにより第１の符号ブックから少なくとも１つのプリコーダを決定する、ように構成される。第１の符号ブック内の少なくとも１つのプリコーダは、マルチビームの第２の符号ブック内の少なくとも１つのプリコーダと１つ以上の共通成分を共有する。
【００８６】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダの第１のプリコーダのビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【００８７】
また別の観点によれば、処理回路を備えるユーザ機器が提供される。処理回路は、第１の符号ブックへアクセスする、ように構成される。第１の符号ブックは、複数の成分を含むマルチビームの符号ブックである。第１の符号ブックからの複数の成分のサブセットは、第２の符号ブック内にある。
【００８８】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【００８９】
また別の観点によれば、処理回路を備える無線ネットワークノードが提供される。処理回路は、メモリ及び１つ以上のプロセッサを含む。無線ネットワークノードは、上述の無線ネットワークノードのいずれか１つに従って構成される。
【００９０】
別の観点によれば、処理回路を備えるワイヤレスデバイスが提供される。処理回路は、メモリ及び１つ以上のプロセッサを含む。ワイヤレスデバイスは、上述のワイヤレスデバイスのいずれか１つに従って構成される。
【００９１】
別の観点によれば、処理回路を備えるユーザ機器が提供される。処理回路は、メモリ及び１つ以上のプロセッサを含む。ユーザ機器は、上述のユーザ機器のいずれか１つに従って構成される。
【００９２】
別の観点によれば、処理回路を備える基地局が提供される。処理回路は、メモリ及び１つ以上のプロセッサを含む。基地局は、上述の基地局のいずれか１つに従って構成される。
【００９３】
別の観点によれば、媒体内に具現化されたコンピュータ読取可能なプログラムコードを有する非一時的なコンピュータ読取可能な記憶媒体を含むコンピュータプログラムプロダクトが提供される。コンピュータ読取可能なプログラムコードは、上記例の方法のいずれか１つ以上を実行するコンピュータ読取可能なコードを含む。別の観点によれば、コンピュータプログラムを含む担体が提供され、当該担体は、電子信号、光学信号、無線信号、又はコンピュータ読取可能な記憶媒体、のうちの１つである。いくつかの実施形態において、処理回路を含む無線ネットワークノードは、実行されると上述の例示的な実施形態の方法のいずれかを当該無線ネットワークノードに実行させる命令群、を含む。
【００９４】
別の観点によれば、無線ネットワークノードのための実行可能な命令群を記憶するように構成される非一時的なコンピュータ読取可能なメモリが提供される。実行可能な命令群は、処理回路の１つ以上のプロセッサにより実行されると、上述の方法のいずれかを無線ネットワークノードに実行させる。
【００９５】
別の観点によれば、ワイヤレスデバイスのための実行可能な命令群を記憶するように構成される非一時的なコンピュータ読取可能なメモリが提供される。実行可能な命令群は、処理回路の１つ以上のプロセッサにより実行されると、上述の方法のいずれかをワイヤレスデバイスに実行させる。
【００９６】
別の観点によれば、ユーザ機器のための実行可能な命令群を記憶するように構成される非一時的なコンピュータ読取可能なメモリが提供される。実行可能な命令群は、処理回路の１つ以上のプロセッサにより実行されると、上述の方法のいずれかをユーザ機器に実行させる。
【００９７】
別の観点によれば、基地局のための実行可能な命令群を記憶するように構成される非一時的なコンピュータ読取可能なメモリが提供される。実行可能な命令群は、処理回路の１つ以上のプロセッサにより実行されると、上述の方法のいずれかを基地局に実行させる。
【００９８】
また別の観点によれば、無線ネットワークノードが提供される。無線ネットワークノードは、ビーム形成されるアンテナポートのセットに対し測定を行うことにより第１の符号ブックから少なくとも１つのプリコーダを決定するように構成される測定モジュールを含む。測定モジュールは、ビーム形成されるアンテナポートのセットよりも大きい非プリコーデッドなアンテナポートのセットに対し測定を行うことによりマルチビームの第２の符号ブックから少なくとも１つのプリコーダを決定するようにさらに構成される。第１の符号ブック内の少なくとも１つのプリコーダは、第２の符号ブック内の少なくとも１つのプリコーダと１つ以上の共通成分を共有する。
【００９９】
別の観点によれば、ワイヤレスデバイスが提供される。ワイヤレスデバイスは、複数の成分を含むマルチビームの符号ブックである第１の符号ブックへアクセスするように構成される送受信機モジュールを含む。送受信機モジュールは、第１の符号ブックからの複数の成分のサブセットを含む第２の符号ブックへアクセスするようにさらに構成される。
【０１００】
また別の観点によれば、無線ネットワークノードが提供される。無線ネットワークノードは、ビーム形成されるアンテナポートのセットに対し測定を行うことにより第１の符号ブックから少なくとも１つのプリコーダ３０を決定するように構成される測定モジュールを含み、第１の符号ブック内の少なくとも１つのプリコーダは、マルチビームの第２の符号ブック内の少なくとも１つのプリコーダと１つ以上の共通成分を共有する。
【０１０１】
別の観点によれば、ワイヤレスデバイスが提供される。ワイヤレスデバイスは、複数の成分を含むマルチビームの符号ブックである第１の符号ブックへアクセスするように構成される送受信機モジュールを含み、第１の符号ブックからの複数の成分のサブセットは、第２の符号ブック内にある。
【図面の簡単な説明】
【０１０２】
本実施形態並びに付随する利点及びその特徴のより十分な理解が、添付図面と併せて考慮された場合に、以下の詳細な説明を参照することにより一層容易に得られるであろう
【０１０３】
【図１】空間多重化のためのシステムのブロック図である。
【図２】システム帯域幅の区画化（partitioning）の図である。
【図３】二重偏波アンテナの４×４アレイである。
【図４】ＤＦＴビームのグリッドである。
【図５】アンテナポートのマッピングを示している。
【図６】ネットワークノードのブロック図である。
【図７】ネットワークノードの代替的な実施形態のブロック図である。
【図８】ワイヤレスデバイスのブロック図である。
【図９】ワイヤレスデバイスの代替的な実施形態のブロック図である。
【図１０】ハイブリッド型非プリコーデッドビーム形成ＣＳＩリファレンス信号の使用を対象とする高度ＣＳＩレポーティングのためのネットワークノードにおける例示的な処理のフローチャートである。
【図１１】符号ブック決定のためのワイヤレスデバイスにおける例示的な処理のフローチャートである。
【発明を実施するための形態】
【０１０４】
ここで使用されるワイヤレスデバイスとの用語は、セルラー又はモバイル通信システムにおいて、ネットワークノードとの間で及び／若しくは他のワイヤレスデバイスとの間で通信する、いかなるタイプのワイヤレスデバイスへの言及であってもよい。ワイヤレスデバイスの例は、ユーザ機器（ＵＥ）、ターゲットデバイス、デバイスツーデバイス（Ｄ２Ｄ）ワイヤレスデバイス、マシンタイプワイヤレスデバイス若しくはマシンツーマシン（Ｍ２Ｍ）通信可能なワイヤレスデバイス、ＰＤＡ、ｉＰＡＤ、タブレット、モバイル端末、スマートフォン、ラップトップ組込み機器（ＬＥＥ）、ラップトップ搭載型機器（ＬＭＥ）、ＵＳＢドングルなどである。
【０１０５】
ここで使用される“ネットワークノード”との用語は、例えば、コアネットワークノード、ＭＳＣ、ＭＭＥ、Ｏ＆Ｍ、ＯＳＳ、ＳＯＮ、測位ノード（例えば、Ｅ−ＳＭＬＣ）、ＭＤＴノードなどの、無線ネットワークノード又は他のネットワークノードへの言及であってもよい。
【０１０６】
ここで使用される“無線ネットワークノード”との用語は、無線ネットワークに含まれるいかなる種類のネットワークノードであることもでき、それはさらに、基地局（ＢＳ）、無線基地局、基地送受信局（ＢＴＳ）、基地局コントローラ（ＢＳＣ）、無線ネットワークコントローラ（ＲＮＣ）、拡張ノードＢ（ｅＮＢ若しくはｅＮｏｄｅＢ）、ｇＮｏｄｅＢ、ノードＢ、ＭＳＲ  ＢＳといったマルチ標準無線（ＭＳＲ）無線ノード、リレーノード、リレーを制御するドナーノード、無線アクセスポイント（ＡＰ）、送信ポイント、送信ノード、ＲＲＵ（Remote  Radio  Unit）、ＲＲＨ（Remote  Radio  Head）、ＤＡＳ（distributed  antenna  system）内のノードなどのうちの任意のものを含み得る。
【０１０７】
さらに、ワイヤレスデバイス又はネットワークノードにより実行されるものとしてここで説明される機能が、複数のワイヤレスデバイス及び／又は複数のネットワークノードをまたいで分散されてもよいことに留意されたい。
【０１０８】
例示的な実施形態を詳細に説明する前に、注記されることとして、それら実施形態は、ハイブリッドクラスＡ／Ｂ動作のための高度ＣＳＩレポーティングに関連する装置のコンポーネント及び処理ステップの組み合わせに主として内在する。したがって、適切な場合には、コンポーネントは図中で型どおりのシンボルで表現されており、図面は、ここでの説明の恩恵を有する当業者にとって容易に明らかとなる詳細で本開示を曖昧にすることのないように、実施形態の理解に関する特定の詳細のみを示す。
【０１０９】
ここで使用されるところでは、“第１”及び“第２”、“上”及び“下”などといった関係的な用語が、あるエンティティ又は要素と他のエンティティ又は要素とを単に区別するために、そうしたエンティティ又は要素間のいかなる物理的な若しくは論理的な関係若しくは順序を必ずしも要し又は示唆することなく使用され得る。
【０１１０】
本開示は、ハイブリッドクラスＡ／Ｂ動作を伴う高度ＣＳＩフィードバックを考慮する。導入セクションで説明したように、クラスＡ  ＣＳＩレポーティングのために、マルチビームプリコーダ符号ブックが使用され得る。ここで、クラスＡプリコーダＷは、ビーム成分のセットを線形結合することにより構築されてよく、ここで、ビーム電力割り当て及びビーム共位相化の双方が使用される。そうした符号ブック内のランク１のプリコーダは、例えば次のように表現され得る
【０１１１】
【数２４】
2020504465.tif 000028
【０１１２】
いくつかの実施形態において、ビーム電力レベルはＷ２内に含まれ得る。注記されることとして、ビーム成分のセットを線形結合することによりプリコーダを構築することを含めて、プリコーダ符号ブック構造を表現するための多くの等価な手法があり、ここで使用される具体的な符号ブック構造は、そうした符号ブック構造の一例と見なされるべきであるが、本開示のいくつかの原理は、他の符号ブック構造にも適用可能である。類似の注記として、ここでの例及び説明ではランク１のプリコーダのみが使用されるが、本開示のいくつかの原理は、任意のランクのプリコーダを伴う符号ブックに適用可能である。
【０１１３】
【数２５】
2020504465.tif 000029
【０１１４】
本開示は、ハイブリッドクラスＡ／Ｂ動作へと適合される、プリコーダ決定のための方法とクラスＢプリコーダ符号ブックのための設計とを提示し、マルチビームの符号ブックからのプリコーダ又は（行列ファクタといった）プリコーダ成分がクラスＡ  ＣＳＩレポート内でワイヤレスデバイスによりレポートされる。
【０１１５】
本開示の全ての実施形態において、クラスＢレポーティングのための符号ブック内のプリコーダは、効率的なハイブリッドクラスＡ／Ｂ動作を確実にするために、クラスＡレポーティングのために使用されるマルチビーム符号ブックとの間で１つ以上の共通成分を共有する。共有されるそれら成分は、いくつかの実施形態において、行列ファクタ又は、行列ファクタにより等価的に表現され得る成分を含み得る。いくつかの実施形態において、共有される成分は、電力スケーリング成分及び／又は位相スケーリング成分を含み得る。
【０１１６】
先行技術では、典型的には、クラスＡの符号ブックとクラスＢの符号ブックとは別々の設計を有し、共通成分を共有することはない。この手法は、高度ではない単一ビームのクラスＡの符号ブックについては十分うまく機能し得る。しかしながら、マルチビームのクラスＡの符号ブックを伴う高度ＣＳＩレポーティングについては、先行技術の手法は、有意な性能ロスに帰結する場合があり、効率的なハイブリッドクラスＡ／Ｂ動作のためにはクラスＡの符号ブックとクラスＢの符号ブックとの間の共通性が望まれる。
【０１１７】
【数２６】
2020504465.tif 000030
【０１１８】
【数２７】
2020504465.tif 000031
【０１１９】
実施形態の別のセットでは、先に記載したものと同じクラスＡ符号ブックが使用されるが、クラスＢ符号ブックは、共有される位相スケーリング成分のみを含み、即ち、クラスＢ符号ブック内のプリコーダは、Ｗ＝Ｗ２と記述され得る。但し、マルチビームの符号ブックを伴う良好なプリコーディング性能のためには、ビーム電力スケーリングは通常は適用されなければならないであろう。以下の複数の実施形態は、クラスＢ符号ブックがそうした成分を含まない場合であっても、ビーム電力スケーリングを考慮するための多様な方法を開示する。
【０１２０】
【数２８】
2020504465.tif 000032
【０１２１】
別のそうした実施形態では、ワイヤレスデバイスは、レポートされるクラスＡプリコーダの電力スケーリング成分を記憶する。ワイヤレスデバイスは、その後（各ポート上で均等な電力割り当てで送信されるものと想定される）ビーム形成されるクラスＢアンテナポートを測定する際に、クラスＢプリコーダを決定する前に、まず、測定されたクラスＢアンテナポートに対してクラスＡレポートからの記憶済みの電力スケーリングを適用する。よって、クラスＡレポートにおいてワイヤレスデバイスにより選択される電力スケーリングは、半永続的であるとみなされてもよく、それにより、ワイヤレスデバイスは、クラスＢ  ＣＳＩ−ＲＳをビーム形成するためにクラスＡプリコーダレポート内のビーム選択成分が使用されるものと想定する。
【０１２２】
また別のそうした実施形態では、ｅＮＢは、ポートの各々において均等な電力でクラスＢアンテナポートを送信するが、代わりに、クラスＢアンテナポートに対し適用されるべき電力スケーリングをワイヤレスデバイスへシグナリングする。
【０１２３】
【数２９】
2020504465.tif 000033
【０１２４】
図６は、ワイヤレスデバイスの構成を判定するように構成されるネットワークノード２０のブロック図である。ネットワークノード２０は、処理回路２２を有する。いくつかの実施形態において、当該処理回路は、メモリ２４及びプロセッサ２６を含み得る。メモリ２４は、プロセッサ２６によって実行されると、ワイヤレスデバイスの構成を決定することに関連する機能を含む、ここに記載される１つ以上の機能を実行するようにプロセッサ２６を構成する命令群を含む。旧来のプロセッサ及びメモリに加えて、処理回路２２は、処理及び／又は制御のための集積回路、例えば、１つ以上のプロセッサ及び／又はプロセッサコア及び／又はＦＰＧＡ（フィールド・プログラマブル・ゲート・アレイ）及び／又はＡＳＩＣ（特定用途向け集積回路）、を含み得る。
【０１２５】
処理回路２２は、メモリ２４を含んでよく並びに／又はメモリ２４へ接続されてよく並びに／又はメモリ２４へアクセスする（例えば、メモリ２４へ書き込む及び／若しくはメモリ２４から読み出す）ように構成されてよい。メモリ２４は、例えばキャッシュ及び／又はバッファメモリ及び／又はＲＡＭ（random  access  memory）及び／又はＲＯＭ（read-only  memory）及び／又は光学メモリ及び／又はＥＰＲＯＭ（erasable  programmable  read-only  memory）といった、任意の種類の揮発性及び／又は不揮発性メモリを含み得る。こうしたメモリ２４は、制御回路により実行可能なコード並びに／又は、例えばノードの構成及び／若しくはアドレスデータといった、例えば通信に関わるデータ等の他のデータ、を記憶するように構成され得る。処理回路２２は、ここに記載される方法のうちの任意のものを制御するように、及び／又はそうした方法を例えばプロセッサ２６に実行させるように構成されてもよい。対応する命令群は、メモリ２４に記憶されてよく、メモリ２４は読取可能であり及び／又は処理回路２２へ読取可能に接続され得る。言い換えれば、処理回路２２は、コントローラを含んでよく、コントローラは、マイクロプロセッサ及び／又はマイクロコントローラ及び／又はＦＰＧＡ（フィールド・プログラマブル・ゲート・アレイ）デバイス及び／又はＡＳＩＣ（特定用途向け集積回路）デバイスを含み得る。処理回路２２は、アクセス可能に構成され得るメモリを含むか、メモリへ接続され得るか、メモリへ接続可能である、と考えられ得る。１つの実施形態では、メモリ２４はプリコーダ３０を記憶し、プロセッサは、測定ユニット３２のアルゴリズムを実行することにより上述の手続を実装する。ネットワークノードは、ネットワークノード２０とワイヤレスデバイス４０との間で信号を送受信する送受信機モジュール２９をも含む。図７は、プリコーダ３０を記憶するメモリモジュール２３を有し及びソフトウェアモジュールであり得る測定モジュール３３を有する、ネットワークノード２０の代替的な実施形態のブロック図である。
【０１２６】
図８は、ワイヤレスデバイス４０の一実施形態のブロック図である。ワイヤレスデバイス４０は処理回路４２を含み、処理回路４２はメモリ４４及びプロセッサ４６を含む。メモリ４４はプリコーダ５０を記憶し、プロセッサ４６は、ビーム電力スケーリング５２及びプリコーダ決定部５４を実行する。ワイヤレスデバイスは、ネットワークノード２０とワイヤレスデバイス４０との間で信号を送受信するための送受信機４８も含む。
【０１２７】
図９は、プリコーダ５０を記憶するメモリモジュール４５を含む、ワイヤレスデバイス４０の代替的な実施形態のブロック図である。ワイヤレスデバイス４０は、ビーム電力スケーリング及びプリコーダ決定を実行するためのソフトウェアモジュール５３及び５５も含む。ワイヤレスデバイス４０は、ネットワークノード及び他のワイヤレスデバイスと通信するための送受信機モジュール４９も含む。
【０１２８】
図１０は、ハイブリッド型非プリコーデッドビーム形成ＣＳＩリファレンス信号の使用を対象とする高度ＣＳＩレポーティングのための、ネットワークノードにおける例示的な処理のフローチャートである。当該処理は、第１の符号ブックから、マルチビームの第２の符号ブックと共通成分を共有するプリコーダを決定すること（ブロックＳ１００）、を含む。当該処理は、ビーム形成されるアンテナポートを測定すること（ブロックＳ１０２）、をも含む。当該処理は、典型的には非プリコーデッドなアンテナポートのより大きいセットを測定すること（ブロックＳ１０４）、をオプションとして含んでもよい。
【０１２９】
図１１は、符号ブック決定のための、ワイヤレスデバイスにおける例示的な処理のフローチャートである。当該処理は、いくつかの成分を含むマルチビームの符号ブックである第１の符号ブックへアクセスすること（ブロックＳ１０８）、を含む。当該処理は、第１の符号ブックからの成分のサブセットを含む第２の符号ブックへアクセスすること（ブロックＳ１１０）、をも含む。当該処理は、成分のサブセットがビーム電力スケーリング成分及び／又はビーム位相スケーリング成分を含むこと（ブロックＳ１１２）、をオプションとして含んでもよい。
【０１３０】
他のいくつかの実施形態は以下のとおりである。
【０１３１】
実施形態Ａ１：  第１の符号ブックからプリコーダを決定する方法であって、前記プリコーダの決定は、ビーム形成されるアンテナポートのセットに対し測定を行うこと、を含み、前記第１の符号ブック内の前記プリコーダは、マルチビームの第２の符号ブック内のプリコーダと１つ以上の共通成分を共有し、前記第２の符号ブックからプリコーダを決定することは、典型的には非プリコーデッドなアンテナポートのより大きいセットに対し測定を行うこと、を含む、方法。
【０１３２】
実施形態Ａ２：  実施形態Ａ１の方法であって、前記１つ以上の共通成分は、ビーム電力スケーリング成分及び／又はビーム位相スケーリング成分を含む、方法。
【０１３３】
実施形態Ａ３：  実施形態Ａ２の方法であって、第１のプリコーダの前記ビーム電力スケーリング成分は、広帯域基準で選択され、及び／又は、前記ビーム位相スケーリング成分は、サブ帯域基準で選択される、方法。
【０１３４】
実施形態Ａ４：  実施形態Ａ１の方法であって、前記１つ以上の共通成分は、ビーム位相スケーリング成分を含み、前記第２の符号ブックは、ビーム電力スケーリング成分を含む、方法。
【０１３５】
実施形態Ａ５：  実施形態Ａ４の方法であって、ワイヤレスデバイスによりレポートされる第２のプリコーダに含まれる電力スケーリング成分は、送信側のネットワークノードにより、前記ビーム形成されるアンテナポート上の電力レベルをスケーリングするために使用される、方法。
【０１３６】
実施形態Ａ６：  実施形態Ａ４の方法であって、ワイヤレスデバイスによりレポートされる第２のプリコーダの前記ビーム電力スケーリング成分は、第１のプリコーダを決定する前に、前記ビーム形成されるアンテナポートに前記ワイヤレスデバイスにより適用される、方法。
【０１３７】
実施形態Ａ７：  実施形態Ａ４の方法であって、アンテナポートの電力スケーリングは、ネットワークノードによりワイヤレスデバイスへシグナリングされる、方法。
【０１３８】
実施形態Ｂ１：  いくつかの成分を含むマルチビームの符号ブックである第１の符号ブックに対するアクセスをワイヤレスデバイスが有する方法。当該ワイヤレスデバイスは、前記第１の符号ブックからの成分のサブセットを含む第２の符号ブックへのアクセスをも有する。
【０１３９】
実施形態Ｂ２：  実施形態Ｂ１の方法であって、前記成分のサブセットは、ビーム電力スケーリング成分及び／又はビーム位相スケーリング成分を含む、方法。
【０１４０】
実施形態Ｂ３：  実施形態Ｂ２の方法であって、前記第２の符号ブックの前記ビーム電力スケーリング成分は、広帯域基準で選択され、及び／又は、前記ビーム位相スケーリング成分は、サブ帯域基準で選択される、方法。
【０１４１】
実施形態Ｂ４：  実施形態Ｂ１の方法であって、前記成分のサブセットは、ビーム位相スケーリング成分を含み、前記第１の符号ブックは、ビーム電力スケーリング成分を含む、方法。
【０１４２】
実施形態Ｂ５：  実施形態Ｂ４の方法であって、前記ワイヤレスデバイスによりレポートされる前記第１の符号ブックからのプリコーダにおける前記ビーム電力スケーリング成分は、前記第２の符号ブックからのプリコーダを決定する前に、ビーム形成されるアンテナポートに前記ワイヤレスデバイスにより適用される、方法。
【０１４３】
実施形態Ｂ６：  実施形態Ｂ４の方法であって、アンテナポートの電力スケーリングは、ネットワークノードにより前記ワイヤレスデバイスへシグナリングされる、方法。
【０１４４】
実施形態Ｃ１：  第１の符号ブックからプリコーダを決定する、無線ノードにおける方法であって、ビーム形成されるアンテナポートのセットに対し測定を行うこと、を含み、前記第１の符号ブック内の前記プリコーダは、マルチビームの第２の符号ブック内のプリコーダと１つ以上の共通成分を共有し、及び、オプションとして、前記第２の符号ブックからプリコーダを決定することは、典型的には非プリコーデッドなアンテナポートのより大きいセットに対し測定を行うこと、を含み、前記無線ノードは、無線アクセスノード又はワイヤレスデバイスであり得る、方法。
【０１４５】
実施形態Ｃ２：  実施形態Ｃ１の方法であって、前記１つ以上の共通成分は、ビーム電力スケーリング成分及び／又はビーム位相スケーリング成分を含む、方法。
【０１４６】
実施形態Ｃ３：  実施形態Ｃ２の方法であって、第１のプリコーダの前記ビーム電力スケーリング成分は、広帯域基準で選択され、及び／又は、前記ビーム位相スケーリング成分は、サブ帯域基準で選択される、方法。
【０１４７】
実施形態Ｃ４：  実施形態Ｃ１の方法であって、前記１つ以上の共通成分は、ビーム位相スケーリング成分を含み、前記第２の符号ブックは、ビーム電力スケーリング成分を含む、方法。
【０１４８】
実施形態Ｃ５：  実施形態Ｃ４の方法であって、前記ワイヤレスデバイスによりレポートされる第２のプリコーダに含まれる電力スケーリング成分は、送信側のネットワークノードにより、前記ビーム形成されるアンテナポート上の電力レベルをスケーリングするために使用される、方法。
【０１４９】
実施形態Ｃ６：  実施形態Ｃ４の方法であって、前記ワイヤレスデバイスによりレポートされる第２のプリコーダの前記ビーム電力スケーリング成分は、第１のプリコーダを決定する前に、前記ビーム形成されるアンテナポートに前記ワイヤレスデバイスにより適用される、方法。
【０１５０】
実施形態Ｃ７：  実施形態Ｃ４の方法であって、アンテナポートの電力スケーリングは、ネットワークノードにより前記ワイヤレスデバイスへシグナリングされる、方法。
【０１５１】
実施形態Ｄ１：  ワイヤレスデバイスのための方法であって、いくつかの成分を含むマルチビームの符号ブックである第１の符号ブックへアクセスすること、を含み、オプションとして、前記第１の符号ブックからの前記成分のサブセットを含む第２の符号ブックへアクセスすること、をさらに含む、方法。
【０１５２】
実施形態Ｄ２：  実施形態Ｄ１の方法であって、前記成分のサブセットは、ビーム電力スケーリング成分及び／又はビーム位相スケーリング成分を含む、方法。
【０１５３】
実施形態Ｄ３：  実施形態Ｂ２の方法であって、前記第２の符号ブックの前記ビーム電力スケーリング成分は、広帯域基準で選択され、及び／又は、前記ビーム位相スケーリング成分は、サブ帯域基準で選択される、方法。
【０１５４】
実施形態Ｄ４：  実施形態Ｂ１の方法であって、前記成分のサブセットは、ビーム位相スケーリング成分を含み、前記第１の符号ブックは、ビーム電力スケーリング成分を含む、方法。
【０１５５】
実施形態Ｄ５：  実施形態Ｂ４の方法であって、前記第２の符号ブックからのプリコーダを決定する前に、ビーム形成されるアンテナポートに、レポートされる前記第１の符号ブックからのプリコーダにおける前記ビーム電力スケーリング成分を適用すること、をさらに含む、方法。
【０１５６】
実施形態Ｄ６：  実施形態Ｂ４の方法であって、ネットワークノードから（直接的に又は間接的に）シグナリングされるアンテナポートの電力スケーリングを受信すること、をさらに含む、方法。
【０１５７】
実施形態Ｅ１：  回路を備えるノードであって、上記例の方法のうちのいずれか１つ以上を実行するように動作可能である、ノード。
【０１５８】
実施形態Ｅ２：  実施形態Ｅ１のノードであって、前記回路はメモリ及び１つ以上のプロセッサを含む、ノード。
【０１５９】
実施形態Ｅ３：  媒体内に具現化されたコンピュータ読取可能なプログラムコードを有する非一時的なコンピュータ読取可能な記憶媒体を含むコンピュータプログラムプロダクトであって、前記コンピュータ読取可能なプログラムコードは、上記例の方法のうちのいずれか１つ以上を実行するコンピュータ読取り可能なコードを含む、コンピュータプログラムプロダクト。
【０１６０】
実施形態Ｅ４：  実施形態Ｅ３のコンピュータプログラムを含む担体であって、前記担体は、電子信号、光学信号、無線信号、又はコンピュータ読取可能な記憶媒体のうちの１つである、担体。
【０１６１】
実施形態Ｅ５：  命令群を含む回路を含むノードであって、前記命令群は、実行されると、上記例示的な実施形態の方法のうちのいずれかを無線ネットワークノードに実行させる、ノード。
【０１６２】
実施形態Ｅ６：  ノードのための実行可能な命令群を記憶するように構成される非一時的なコンピュータ読取可能なメモリであって、前記実行可能な命令群は、１つ以上のプロセッサにより実行されると、上記例示的な実施形態の方法のうちのいずれかを無線ノードに実行させる、非一時的なコンピュータ読取可能なメモリ。
【０１６３】
よって、いくつかの実施形態は、ハイブリッド型非プリコーデッドビーム形成ＣＳＩリファレンス信号の使用を対象とする高度ＣＳＩレポーティングのための方法、無線ネットワークノード、ワイヤレスデバイス、及びユーザ機器を有利に提供する。１つの観点によれば、無線ネットワークノード２０のための方法が提供される。無線ネットワークノード２０により、ビーム形成されるアンテナポートのセットに対し測定を行うことにより、第１の符号ブックから少なくとも１つのプリコーダ３０が決定される。無線ネットワークノード２０により、ビーム形成されるアンテナポートのセットよりも大きい非プリコーデッドなアンテナポートのセットに対し測定を行うことにより、マルチビームの第２の符号ブックから少なくとも１つのプリコーダ３０が決定される。第１の符号ブック内の少なくとも１つのプリコーダ３０は、第２の符号ブック内の少なくとも１つのプリコーダ３０と１つ以上の共通成分を共有する。
【０１６４】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１６５】
別の観点によれば、ワイヤレスデバイス４０のための方法が提供される。ワイヤレスデバイス４０により、第１の符号ブックへのアクセスが行われる。第１の符号ブックは、複数の成分を含むマルチビームの符号ブックである。ワイヤレスデバイス４０により、第２の符号ブックへのアクセスが行われる。第２の符号ブックは、第１の符号ブックからの複数の成分のサブセットを含む。
【０１６６】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１６７】
また別の観点によれば、無線ネットワークノード２０のための方法が提供される。ビーム形成されるアンテナポートのセットに対し測定を行うことにより、第１の符号ブックから少なくとも１つのプリコーダ３０が決定される。第１の符号ブック内の少なくとも１つのプリコーダ３０は、マルチビームの第２の符号ブック内の少なくとも１つのプリコーダ３０と１つ以上の共通成分を共有する。無線ネットワークノード２０は、無線アクセスノード及びワイヤレスデバイス４０の一方である。
【０１６８】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１６９】
別の観点によれば、ワイヤレスデバイス４０のための方法が提供される。ワイヤレスデバイス４０により、第１の符号ブックへのアクセスが行われる。第１の符号ブックは、複数の成分を含むマルチビームの符号ブックである。第１の符号ブックからの複数の成分のサブセットは、第２の符号ブック内にある。
【０１７０】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１７１】
また別の観点によれば、処理回路２２を備える無線ネットワークノード２０が提供される。処理回路２２は、ビーム形成されるアンテナポートのセットに対し測定を行うことにより第１の符号ブックから少なくとも１つのプリコーダ３０を決定する、ように構成される。処理回路２２は、ビーム形成されるアンテナポートのセットよりも大きい非プリコーデッドなアンテナポートのセットに対し測定を行うことにより第２のマルチビームから少なくとも１つのプリコーダ３０を決定する、ようにさらに構成される。第１の符号ブック内の少なくとも１つのプリコーダ３０は、第２の符号ブック内の少なくとも１つのプリコーダ３０と１つ以上の共通成分を共有する。
【０１７２】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１７３】
別の観点によれば、処理回路４２を備えるワイヤレスデバイス４０が提供される。処理回路４２は、第１の符号ブックへアクセスする、ように構成される。第１の符号ブックは、複数の成分を含むマルチビームの符号ブックである。処理回路４２は、第２の符号ブックへアクセスする、ようにさらに構成される。第２の符号ブックは、第１の符号ブックからの複数の成分のサブセットを含む。
【０１７４】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１７５】
また別の観点によれば、処理回路２２を備える無線ネットワークノード２０が提供される。処理回路２２は、ビーム形成されるアンテナポートのセットに対し測定を行うことにより第１の符号ブックから少なくとも１つのプリコーダ３０を決定する、ように構成される。第１の符号ブック内の少なくとも１つのプリコーダ３０は、マルチビームの第２の符号ブック内の少なくとも１つのプリコーダ３０と１つ以上の共通成分を共有する。
【０１７６】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１７７】
また別の観点によれば、処理回路４２を備えるワイヤレスデバイス４０が提供される。処理回路４２は、第１の符号ブックへアクセスする、ように構成される。第１の符号ブックは、複数の成分を含むマルチビームの符号ブックである。第１の符号ブックからの複数の成分のサブセットは、第２の符号ブック内にある。
【０１７８】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１７９】
１つの観点によれば、基地局２０のための方法が提供される。基地局２０により、ビーム形成されるアンテナポートのセットに対し測定を行うことにより第１の符号ブックから少なくとも１つのプリコーダ３０が決定される。基地局２０により、ビーム形成されるアンテナポートのセットよりも大きい非プリコーデッドなアンテナポートのセットに対し測定を行うことによりマルチビームの第２の符号ブックから少なくとも１つのプリコーダ３０が決定される。第１の符号ブック内の少なくとも１つのプリコーダ３０は、第２の符号ブック内の少なくとも１つのプリコーダ３０と１つ以上の共通成分を共有する。
【０１８０】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１８１】
別の観点によれば、ユーザ機器４０のための方法が提供される。ユーザ機器４０により、第１の符号ブックへのアクセスが行われる。第１の符号ブックは、複数の成分を含むマルチビームの符号ブックである。ユーザ機器４０により、第２の符号ブックへのアクセスが行われる。第２の符号ブックは、第１の符号ブックからの複数の成分のサブセットを含む。
【０１８２】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１８３】
また別の観点によれば、基地局２０のための方法が提供される。ビーム形成されるアンテナポートのセットに対し測定を行うことにより、第１の符号ブックから少なくとも１つのプリコーダ３０が決定される。第１の符号ブック内の少なくとも１つのプリコーダ３０は、マルチビームの第２の符号ブック内の少なくとも１つのプリコーダ３０と１つ以上の共通成分を共有する。基地局２０は、無線アクセスノード及びユーザ機器４０の一方である。
【０１８４】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１８５】
別の観点によれば、ユーザ機器４０のための方法が提供される。ユーザ機器４０により、第１の符号ブックへのアクセスが行われる。第１の符号ブックは、複数の成分を含むマルチビームの符号ブックである。第１の符号ブックからの複数の成分のサブセットは、第２の符号ブック内にある。
【０１８６】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１８７】
また別の観点によれば、処理回路２２を備える基地局２０が提供される。処理回路２２は、ビーム形成されるアンテナポートのセットに対し測定を行うことにより第１の符号ブックから少なくとも１つのプリコーダ３０を決定する、ように構成される。処理回路２２は、ビーム形成されるアンテナポートのセットよりも大きい非プリコーデッドなアンテナポートのセットに対し測定を行うことにより第２のマルチビームから少なくとも１つのプリコーダ３０を決定する、ようにさらに構成される。第１の符号ブック内の少なくとも１つのプリコーダ３０は、第２の符号ブック内の少なくとも１つのプリコーダ３０と１つ以上の共通成分を共有する。
【０１８８】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１８９】
別の観点によれば、処理回路４２を備えるユーザ機器４０が提供される。処理回路４２は、第１の符号ブックへアクセスする、ように構成される。第１の符号ブックは、複数の成分を含むマルチビームの符号ブックである。処理回路４２は、第２の符号ブックへアクセスする、ようにさらに構成される。第２の符号ブックは、第１の符号ブックからの複数の成分のサブセットを含む。
【０１９０】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１９１】
また別の観点によれば、処理回路２２を備える基地局２０が提供される。処理回路２２は、ビーム形成されるアンテナポートのセットに対し測定を行うことにより第１の符号ブックから少なくとも１つのプリコーダ３０を決定する、ように構成される。第１の符号ブック内の少なくとも１つのプリコーダ３０は、マルチビームの第２の符号ブック内の少なくとも１つのプリコーダ３０と１つ以上の共通成分を共有する。
【０１９２】
この観点によれば、いくつかの実施形態において、１つ以上の共通成分は、ビーム電力スケーリング成分及び／又はビーム位相スケーリング成分を含む。いくつかの実施形態において、少なくとも１つのプリコーダ３０の第１のプリコーダ３０のビーム電力スケーリング成分は、広帯域基準で選択され、及び／又は、ビーム位相スケーリング成分は、サブ帯域基準で選択される。いくつかの実施形態において、１つ以上の共通成分は、ビーム位相スケーリング成分を含み、第２の符号ブックは、ビーム電力スケーリング成分を含む。
【０１９３】
また別の観点によれば、処理回路４２を備えるユーザ機器４０が提供される。処理回路４２は、第１の符号ブックへアクセスする、ように構成される。第１の符号ブックは、複数の成分を含むマルチビームの符号ブックである。第１の符号ブックからの複数の成分のサブセットは、第２の符号ブック内にある。
【０１９４】
この観点によれば、いくつかの実施形態において、複数の成分のサブセットは、ビーム電力スケーリング成分及び／又はビーム位相スケーリング成分を含む。いくつかの実施形態において、第２の符号ブックのビーム電力スケーリング成分は、広帯域基準で選択され、及び／又は、ビーム位相スケーリング成分は、サブ帯域基準で選択される。いくつかの実施形態において、複数の成分のサブセットは、ビーム位相スケーリング成分を含み、第１の符号ブックは、ビーム電力スケーリング成分を含む。
【０１９５】
また別の観点によれば、処理回路２２を備える無線ネットワークノード２０が提供される。処理回路２２は、メモリ２４及び１つ以上のプロセッサ２６を含む。無線ネットワークノード２０は、上述の無線ネットワークノード２０のいずれか１つに従って構成される。
【０１９６】
別の観点によれば、処理回路４２を備えるワイヤレスデバイス４０が提供される。処理回路４２は、メモリ４４及び１つ以上のプロセッサ４６を含む。ワイヤレスデバイス４０は、上述のワイヤレスデバイス４０のいずれか１つに従って構成される。
【０１９７】
別の観点によれば、処理回路４２を備えるユーザ機器４０が提供される。処理回路４２は、メモリ４４及び１つ以上のプロセッサ４６を含む。ユーザ機器４０は、上述のユーザ機器４０のいずれか１つに従って構成される。
【０１９８】
別の観点によれば、処理回路２２を備える基地局２０が提供される。処理回路２２は、メモリ２４及び１つ以上のプロセッサ２６を含む。基地局２０は、上述の基地局２０のいずれか１つに従って構成される。
【０１９９】
別の観点によれば、媒体内に具現化されたコンピュータ読取可能なプログラムコードを有する当該非一時的なコンピュータ読取可能な記憶媒体を含むコンピュータプログラムプロダクトが提供される。コンピュータ読取可能なプログラムコードは、上記例の方法のうちいずれか１つ以上を実行するコンピュータ読取可能なコードを含む。別の観点によれば、コンピュータプログラムを含む担体が提供され、当該担体は、電子信号、光学信号、無線信号、又はコンピュータ読取可能な記憶媒体、のうちの１つである。いくつかの実施形態において、処理回路２２を含む無線ネットワークノード２０は、実行されると上述の例示的な実施形態の方法のいずれかを当該無線ネットワークノード２０に実行させる命令群、を含む。
【０２００】
別の観点によれば、無線ネットワークノード２０のための実行可能な命令群を記憶するように構成される非一時的なコンピュータ読取可能なメモリが提供される。実行可能な命令群は、処理回路２２の１つ以上のプロセッサ２６により実行されると、上述の方法のいずれかを無線ネットワークノード２０に実行させる。
【０２０１】
別の観点によれば、ワイヤレスデバイス４０のための実行可能な命令群を記憶するように構成される非一時的なコンピュータ読取可能なメモリが提供される。実行可能な命令群は、処理回路４２の１つ以上のプロセッサ４６により実行されると、上述の方法のいずれかをワイヤレスデバイス４０に実行させる。
【０２０２】
別の観点によれば、ユーザ機器４０のための実行可能な命令群を記憶するように構成される非一時的なコンピュータ読取可能なメモリが提供される。実行可能な命令群は、処理回路４２の１つ以上のプロセッサ４６により実行されると、上述の方法のいずれかをユーザ機器４０に実行させる。
【０２０３】
別の観点によれば、基地局２０のための実行可能な命令群を記憶するように構成される非一時的なコンピュータ読取可能なメモリが提供される。実行可能な命令群は、処理回路２２の１つ以上のプロセッサ２６により実行されると、上述の方法のいずれかを基地局２０に実行させる。
【０２０４】
また別の観点によれば、無線ネットワークノード２０が提供される。無線ネットワークノード２０は、ビーム形成されるアンテナポートのセットに対し測定を行うことにより第１の符号ブックから少なくとも１つのプリコーダ３０を決定するように構成される測定モジュール３３を含む。測定モジュール３３は、ビーム形成されるアンテナポートのセットよりも大きい非プリコーデッドなアンテナポートのセットに対し測定を行うことによりマルチビームの第２の符号ブックから少なくとも１つのプリコーダ３０を決定するようにさらに構成される。第１の符号ブック内の少なくとも１つのプリコーダ３０は、第２の符号ブック内の少なくとも１つのプリコーダ３０と１つ以上の共通成分を共有する。
【０２０５】
別の観点によれば、ワイヤレスデバイス４０が提供される。ワイヤレスデバイス４０は、複数の成分を含むマルチビームの符号ブックである第１の符号ブックへアクセスするように構成される送受信機モジュール４９を含む。送受信機モジュール４９は、第１の符号ブックからの複数の成分のサブセットを含む第２の符号ブックへアクセスするようにさらに構成される。
【０２０６】
また別の観点によれば、無線ネットワークノード２０が提供される。無線ネットワークノード２０は、ビーム形成されるアンテナポートのセットに対し測定を行うことにより第１の符号ブックから少なくとも１つのプリコーダ３０を決定するように構成される測定モジュール３３を含み、第１の符号ブック内の少なくとも１つのプリコーダ３０は、マルチビームの第２の符号ブック内の少なくとも１つのプリコーダ３０と１つ以上の共通成分を共有する。
【０２０７】
別の観点によれば、ワイヤレスデバイス４０が提供される。ワイヤレスデバイス４０は、複数の成分を含むマルチビームの符号ブックである第１の符号ブックへアクセスするように構成される送受信機モジュール４９を含み、第１の符号ブックからの複数の成分のサブセットは、第２の符号ブック内にある。
【０２０８】
当業者により理解されるであろうように、ここで説明した概念は、方法、データ処理システム及び／又はコンピュータプログラムプロダクトとして具現化されてよい。したがって、ここで説明した概念は、全体としてハードウェアでの実施形態、全体としてソフトウェアでの実施形態、又は、ソフトウェア及びハードウェアの側面を組み合わせた実施形態の形式をとってよく、それら全てが概して“回路”又は“モジュール”としてここで言及されている。さらに、本開示は、コンピュータにより実行可能なコンピュータプログラムを媒体において具現化した有形のコンピュータ使用可能な当該記憶媒体上のコンピュータプログラムプロダクトの形式をとってもよい。ハードディスク、ＣＤ−ＲＯＭ、電子記憶デバイス、光学記憶デバイス、又は磁気記憶デバイスを含めて、任意の適した有形のコンピュータ読取可能な媒体が利用されてよい。
【０２０９】
いくつかの実施形態は、フローチャートの例示、並びに／又は方法、システム及びコンピュータプログラムプロダクトのブロック図を参照しながらここで説明されている。理解されるであろうこととして、フローチャートの例示及び／又はブロック図の各ブロック、並びに、フローチャートの例示及び／又はブロック図におけるブロックの組み合わせを、コンピュータプログラム命令群により実装することができる。それらコンピュータプログラム命令群は、汎用コンピュータ、特殊目的のコンピュータ又は他のプログラム可能なデータ処理装置のプロセッサへ提供されてマシンを生み出し、それにより、コンピュータ又は他のプログラム可能なデータ処理装置のプロセッサを介して稼働する上記命令群が、フローチャート及び／又はブロック図の１つ若しくは複数のブロックにおいて特定された機能／動作を実装するための手段を生成する。
【０２１０】
それらコンピュータプログラム命令群は、コンピュータ読取可能なメモリ又は記憶媒体内に記憶されてもよく、コンピュータ読取可能なメモリ内に記憶される命令群がフローチャート及び／又はブロック図の１つ若しくは複数のブロックにおいて特定された機能／動作を実装する命令手段を含む製造の品目を生み出すように、コンピュータ又は他のプログラム可能なデータ処理装置に特定のやり方で機能するように指示することができる。
【０２１１】
また、コンピュータプログラム命令群は、コンピュータ又は他のプログラム可能な装置上で一連の動作ステップを実行させるように、当該コンピュータ又は他のプログラム可能なデータ処理装置へロードされて、コンピュータ実装された処理を生み出してもよく、それにより、コンピュータ又は他のプログラム可能な装置上で稼働するそれら命令群は、フローチャート及び／又はブロック図の１つ若しくは複数のブロックにおいて特定された機能／動作を実装するためのステップを提供する。
【０２１２】
理解されるべきこととして、ブロック内に記述した機能／動作は、動作例において記述した順序から外れて生じてもよい。例えば、連続的に示した２つのブロックが実際には実質的に並行的に実行さてもよく、又は、それらブロックは関係する機能性／動作に依存して逆の順序で実行されることがあってもよい。図のうちのいくつかは通信の主要な方向を示すための通信経路上の矢印を含むものの、理解されるべきこととして、描かれた矢印に対して反対方向に通信が生じてもよい。
【０２１３】
ここで説明した概念の動作を遂行するためのコンピュータプログラムコードは、Ｊａｖａ（登録商標）又はＣ＋＋といったオブジェクト指向プログラミング言語で書かれてもよい。しかしながら、本開示の動作を遂行するためのコンピュータプログラムコードは、“Ｃ”プログラミング言語といった旧来の手続型のプログラミング言語で書かれてもよい。そのプログラムコードは、全体としてユーザのコンピュータ上で、部分的にユーザのコンピュータ上で、スタンドアローンのソフトウェアパッケージとして、部分的にユーザのコンピュータ上で及び部分的にリモートコンピュータ上で、又は、全体としてリモートコンピュータ上で稼働してよい。後者のシナリオにおいて、リモートコンピュータは、ＬＡＮ（local  area  network）若しくはＷＡＮ（wide  area  network）を通じてユーザのコンピュータへ接続されてもよく、又は、その接続は、（例えば、インターネットサービスプロバイダを用いてインターネットを通じて）外部コンピュータへなされてもよい。
【０２１４】
多くの異なる実施形態が、上の説明及び図面に関連してここで開示されている。理解されるであろうこととして、それら実施形態のあらゆる組み合わせ及び副次的な組み合わせをそのまま記述し及び説明することは、過度に冗長的で分かりにくいはずである。したがって、全ての実施形態は、いかなる手法で及び／又は組み合わせで組み合わされてもよく、本明細書は、図面を含めて、ここで説明した実施形態の全ての組み合わせ及び副次的な組み合わせについて並びにそれらを活用するやり方及び処理について完全に記述した説明を構成するものと解釈されるものとし、そうしたいかなる組み合わせ又は副次的な組み合わせに関する請求項をもサポートするものとする。
【０２１５】
ここまでの説明において使用されている略語は次を含む：
・１Ｄ                １次元
・２Ｄ                ２次元
・３ＧＰＰ            第三世代パートナーシッププロジェクト
・５Ｇ                第五世代
・ＡＣＫ              確認応答
・ＡＳＩＣ            特定用途向け集積回路
・ＡＲＱ              自動再送要求
・ＣＡ                キャリアアグリゲーション
・ＣＢ                符号ブック
・ＣＤＭＡ            符号分割多重アクセス
・ＣＦＡＩ            ＣＳＩフィードバック精度インジケータ
・ＣＦＩ              制御情報インジケータ
・ＣＰ                サイクリックプレフィクス
・ＣＰＵ              中央処理ユニット
・ＣＱＩ              チャネル品質インジケータ
・ＣＲＳ              共通リファレンスシンボル／信号
・ＣＳＩ              チャネル状態情報
・ＣＳＩ−ＲＳ        チャネル状態情報リファレンスシンボル／信号
・ｄＢ                デシベル
・ＤＣＩ              ダウンリンク制御情報
・ＤＦＴ              離散フーリエ変換
・ＤＬ                ダウンリンク
・ｅＮＢ              拡張又は進化型ノードＢ
・ＤＰ                デュアル偏波
・ＥＰＣ              進化型パケットコア
・ＥＰＤＣＣＨ        拡張物理ダウンリンク制御チャネル
・ＥＰＲＥ            リソースエレメント毎エネルギー
・Ｅ−ＵＴＲＡＮ      進化型又は拡張ユニバーサル地上無線アクセスネットワーク
・ＦＤＤ              周波数分割複信
・ＦＤ−ＭＩＭＯ      全次元ＭＩＭＯ
・ＦＦＴ              高速フーリエ変換
・ＦＰＧＡ            フィールド・プログラマブル・ゲート・アレイ
・ＧＳＭ              グローバル・システム・フォー・モバイル・コミュニケーションズ
・ＨＡＲＱ            ハイブリッドＡＲＱ
・ＩＤ                識別子
・ＩＦＦＴ            逆ＦＦＴ
・ＬＳＢ              最下位ビット
・ＬＴＥ              ロング・ターム・エボリューション
・Ｍ２Ｍ              マシンツーマシン
・ＭＣＳ              変調符号化方式（又は状態）
・ＭＩＭＯ            複数入力複数出力
・ＭＭＥ              モビリティ管理エンティティ
・ＭＳＢ              最上位ビット
・ＭＵ−ＭＩＭＯ      マルチユーザＭＩＭＯ
・ＮＡＫ              非確認応答
・ＮＺＰ              非ゼロ電力
・ＯＣＣ              直交カバー符号
・ＯＦＤＭ            直交周波数分割多重
・ＰＣＦＩＣＨ        物理制御フォーマットインジケータチャネル
・ＰＤＡ              パーソナル・デジタル・アシスタント
・ＰＤＣＣＨ          物理ダウンリンク制御チャネル
・ＰＤＳＣＨ          物理ダウンリンク共有チャネル
・ＰＲＢ              物理リソースブロック
・ＰＭＩ              プリコーダ行列インジケータ
・ＰＳＫ              位相偏移変調
・ＰＵＣＣＨ          物理アップリンク制御チャネル
・ＰＵＳＣＨ          物理アップリンク共有チャネル
・ＱＰＳＫ            四位相偏移変調
・ＲＢ                リソースブロック
・ＲＥ                リソースエレメント
・Ｒｅｌ              リリース
・ＲＩ                ランクインジケータ
・ＲＲＣ              無線リソース制御
・ＳＩＮＲ            信号対干渉及び雑音比
・ＳＮＲ              信号対雑音比
・ＳＰ                信号偏波
・ＳＲ                スケジューリング要求
・ＳＵ−ＭＩＭＯ      シングルユーザＭＩＭＯ
・ＴＤＤ              時分割複信
・ＴＦＲＥ            時間／周波数リソースエレメント
・ＴＰ                送信ポイント
・ＴＳ                技術仕様
・Ｔｘ                送信
・ＵＥ                ユーザ機器
・ＵＬ                アップリンク
・ＵＬＡ              等間隔直線アレイ
・ＵＭＢ              ウルトラ・モバイル・ブロードバンド
・ＵＰＡ              等間隔平面アレイ
・ＷＣＤＭＡ          広帯域符号分割多元接続
・ＺＰ                ゼロ電力
【０２１６】
当業者により認識されるであろうこととして、ここで説明した実施形態は、これまでに具体的に示し説明したものには限定されない。加えて、上で別段の言及がなされていない限り、添付図面の全ては等尺ではないことに留意すべきである。上の教示を踏まえて、多様な修正及び変形が可能である。
【図１】
2020504465.tif 000034
【図２】
2020504465.tif 000035
【図３】
2020504465.tif 000036
【図４】
2020504465.tif 000037
【図５】
2020504465.tif 000038
【図６】
2020504465.tif 000039
【図７】
2020504465.tif 000040
【図８】
2020504465.tif 000041
【図９】
2020504465.tif 000042
【図１０】
2020504465.tif 000043
【図１１】
2020504465.tif 000044
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
無線ネットワークノード（２０）のための方法であって、
前記無線ネットワークノード（２０）により、ビーム形成されるアンテナポートのセットに対し測定を行うことにより第１の符号ブックから少なくとも１つのプリコーダ（３０）を決定することと、
前記無線ネットワークノード（２０）により、前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定することと、前記第１の符号ブック内の前記少なくとも１つのプリコーダ（３０）は、前記第２の符号ブック内の前記少なくとも１つのプリコーダ（３０）と１つ以上の共通成分を共有することと、
を含む方法。
【請求項２】
請求項１に記載の方法であって、
前記１つ以上の共通成分は、ビーム電力スケーリング成分及び／又はビーム位相スケーリング成分を含む、方法。
【請求項３】
請求項２に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項４】
請求項１に記載の方法であって、
前記１つ以上の共通成分は、ビーム位相スケーリング成分を含み、
前記第２の符号ブックは、ビーム電力スケーリング成分を含む、方法。
【請求項５】
ワイヤレスデバイス（４０）のための方法であって、
前記ワイヤレスデバイス（４０）により、複数の成分を含むマルチビームの符号ブックである第１の符号ブックへアクセスすることと、
前記ワイヤレスデバイス（４０）により、前記第１の符号ブックからの前記複数の成分のサブセットを含む第２の符号ブックへアクセスすることと、
を含む方法。
【請求項６】
請求項５に記載の方法であって、
前記複数の成分の前記サブセットは、ビーム電力スケーリング成分及び／又はビーム位相スケーリング成分を含む、方法。
【請求項７】
請求項６に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項８】
請求項５に記載の方法であって、
前記複数の成分の前記サブセットは、ビーム位相スケーリング成分を含み、
前記第１の符号ブックは、ビーム電力スケーリング成分を含む、方法。
【請求項９】
無線ネットワークノード（２０）のための方法であって、
前記無線ネットワークノード（２０）により、ビーム形成されるアンテナポートのセットに対し測定を行うことにより第１の符号ブックから少なくとも１つのプリコーダ（３０）を決定することと、前記第１の符号ブック内の前記少なくとも１つのプリコーダ（３０）は、マルチビームの第２の符号ブック内の少なくとも１つのプリコーダ（３０）と１つ以上の共通成分を共有することと、前記無線ネットワークノード（２０）は、無線アクセスノード及びワイヤレスデバイス（４０）の一方であることと、
を含む方法。
【請求項１０】
請求項９に記載の方法であって、
前記１つ以上の共通成分は、ビーム電力スケーリング成分及び／又はビーム位相スケーリング成分を含む、方法。
【請求項１１】
請求項１０に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項１２】
請求項９に記載の方法であって、
前記１つ以上の共通成分は、ビーム位相スケーリング成分を含み、
前記第２の符号ブックは、ビーム電力スケーリング成分を含む、方法。
【請求項１３】
ワイヤレスデバイス（４０）のための方法であって、
前記ワイヤレスデバイス（４０）により、複数の成分を含むマルチビームの符号ブックである第１の符号ブックへアクセスすることと、前記第１の符号ブックからの前記複数の成分のサブセットは、第２の符号ブック内にあることと、
を含む方法。
【請求項１４】
請求項１３に記載の方法であって、
前記複数の成分の前記サブセットは、ビーム電力スケーリング成分及び／又はビーム位相スケーリング成分を含む、方法。
【請求項１５】
請求項１４に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項１６】
請求項１３に記載の方法であって、
前記複数の成分の前記サブセットは、ビーム位相スケーリング成分を含み、
前記第１の符号ブックは、ビーム電力スケーリング成分を含む、方法。
【請求項１７】
無線ネットワークノード（２０）であって、
処理回路（２２）を備え、前記処理回路（２２）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
無線ネットワークノード（２０）。
【請求項１８】
請求項１７に記載の無線ネットワークノード（２０）であって、
前記１つ以上の共通成分は、ビーム電力スケーリング成分及び／又はビーム位相スケーリング成分を含む、無線ネットワークノード（２０）。
【請求項１９】
請求項１８に記載の無線ネットワークノード（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、無線ネットワークノード（２０）。
【請求項２０】
請求項１７に記載の無線ネットワークノード（２０）であって、
前記１つ以上の共通成分は、ビーム位相スケーリング成分を含み、
前記第２の符号ブックは、ビーム電力スケーリング成分を含む、無線ネットワークノード（２０）。
【請求項２１】
ワイヤレスデバイス（４０）であって、
処理回路（４２）を備え、前記処理回路（４２）は、
前記ワイヤレスデバイス（４０）により、複数の成分を含むマルチビームの符号ブックである第１の符号ブックへアクセスし、及び、
前記ワイヤレスデバイス（４０）により、前記第１の符号ブックからの前記複数の成分のサブセットを含む第２の符号ブックへアクセスする、ように構成される、
ワイヤレスデバイス（４０）。
【請求項２２】
請求項２１に記載のワイヤレスデバイス（４０）であって、
前記複数の成分の前記サブセットは、ビーム電力スケーリング成分及び／又はビーム位相スケーリング成分を含む、ワイヤレスデバイス（４０）。
【請求項２３】
請求項２２に記載のワイヤレスデバイス（４０）であって、
前記第２の符号ブックの前記ビーム電力スケーリング成分は、広帯域基準で選択され、及び／又は、前記ビーム位相スケーリング成分は、サブ帯域基準で選択される、ワイヤレスデバイス（４０）。
【請求項２４】
請求項２１に記載のワイヤレスデバイス（４０）であって、
前記複数の成分の前記サブセットは、ビーム位相スケーリング成分を含み、
前記第１の符号ブックは、ビーム電力スケーリング成分を含む、ワイヤレスデバイス（４０）。
【請求項２５】
無線ネットワークノード（２０）であって、
処理回路を備え、前記処理回路は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
無線ネットワークノード（２０）。
【請求項２６】
請求項２５に記載の無線ネットワークノード（２０）であって、
前記１つ以上の共通成分は、ビーム電力スケーリング成分及び／又はビーム位相スケーリング成分を含む、無線ネットワークノード（２０）。
【請求項２７】
請求項２６に記載の無線ネットワークノード（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、無線ネットワークノード（２０）。
【請求項２８】
請求項２５に記載の無線ネットワークノード（２０）であって、
前記１つ以上の共通成分は、ビーム位相スケーリング成分を含み、
前記第２の符号ブックは、ビーム電力スケーリング成分を含む、無線ネットワークノード（２０）。
【請求項２９】
ワイヤレスデバイス（４０）であって、
処理回路を備え、前記処理回路は、
前記ワイヤレスデバイス（４０）により、複数の成分を含むマルチビームの符号ブックである第１の符号ブックへアクセスする、ように構成され、前記第１の符号ブックからの前記複数の成分のサブセットは、第２の符号ブック内にある、
ワイヤレスデバイス（４０）。
【請求項３０】
請求項２９に記載のワイヤレスデバイス（４０）であって、
前記複数の成分の前記サブセットは、ビーム電力スケーリング成分及び／又はビーム位相スケーリング成分を含む、ワイヤレスデバイス（４０）。
【請求項３１】
請求項３０に記載のワイヤレスデバイス（４０）であって、
前記第２の符号ブックの前記ビーム電力スケーリング成分は、広帯域基準で選択され、及び／又は、前記ビーム位相スケーリング成分は、サブ帯域基準で選択される、ワイヤレスデバイス（４０）。
【請求項３２】
請求項２９に記載のワイヤレスデバイス（４０）であって、
前記複数の成分の前記サブセットは、ビーム位相スケーリング成分を含み、
前記第１の符号ブックは、ビーム電力スケーリング成分を含む、ワイヤレスデバイス（４０）。
【請求項３３】
基地局（２０）のための方法であって、
前記基地局（２０）により、ビーム形成されるアンテナポートのセットに対し測定を行うことにより第１の符号ブックから少なくとも１つのプリコーダ（３０）を決定することと、
前記基地局（２０）により、前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定することと、前記第１の符号ブック内の前記少なくとも１つのプリコーダ（３０）は、前記第２の符号ブック内の前記少なくとも１つのプリコーダ（３０）と１つ以上の共通成分を共有することと、
を含む方法。
【請求項３４】
請求項３３に記載の方法であって、
前記１つ以上の共通成分は、ビーム電力スケーリング成分及び／又はビーム位相スケーリング成分を含む、方法。
【請求項３５】
請求項３４に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項３６】
請求項３３に記載の方法であって、
前記１つ以上の共通成分は、ビーム位相スケーリング成分を含み、
前記第２の符号ブックは、ビーム電力スケーリング成分を含む、方法。
【請求項３７】
ユーザ機器（４０）のための方法であって、
前記ユーザ機器（４０）により、複数の成分を含むマルチビームの符号ブックである第１の符号ブックへアクセスすることと、
前記ユーザ機器（４０）により、前記第１の符号ブックからの前記複数の成分のサブセットを含む第２の符号ブックへアクセスすることと、
を含む方法。
【請求項３８】
請求項３７に記載の方法であって、
前記複数の成分の前記サブセットは、ビーム電力スケーリング成分及び／又はビーム位相スケーリング成分を含む、方法。
【請求項３９】
請求項３８に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項４０】
請求項３７に記載の方法であって、
前記複数の成分の前記サブセットは、ビーム位相スケーリング成分を含み、
前記第１の符号ブックは、ビーム電力スケーリング成分を含む、方法。
【請求項４１】
基地局（２０）のための方法であって、
前記基地局（２０）により、ビーム形成されるアンテナポートのセットに対し測定を行うことにより第１の符号ブックから少なくとも１つのプリコーダ（３０）を決定することと、前記第１の符号ブック内の前記少なくとも１つのプリコーダ（３０）は、マルチビームの第２の符号ブック内の少なくとも１つのプリコーダ（３０）と１つ以上の共通成分を共有することと、
を含む方法。
【請求項４２】
請求項４１に記載の方法であって、
前記１つ以上の共通成分は、ビーム電力スケーリング成分及び／又はビーム位相スケーリング成分を含む、方法。
【請求項４３】
請求項４２に記載の方法であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、方法。
【請求項４４】
請求項４１に記載の方法であって、
前記１つ以上の共通成分は、ビーム位相スケーリング成分を含み、
前記第２の符号ブックは、ビーム電力スケーリング成分を含む、方法。
【請求項４５】
ユーザ機器（４０）のための方法であって、
前記ユーザ機器（４０）により、複数の成分を含むマルチビームの符号ブックである第１の符号ブックへアクセスすることと、前記第１の符号ブックからの前記複数の成分のサブセットは、第２の符号ブック内にあることと、
を含む方法。
【請求項４６】
請求項４５に記載の方法であって、
前記複数の成分の前記サブセットは、ビーム電力スケーリング成分及び／又はビーム位相スケーリング成分を含む、方法。
【請求項４７】
請求項４６に記載の方法であって、
前記第２の符号ブックの前記ビーム電力スケーリング成分は、広帯域基準で選択され、及び／又は、前記ビーム位相スケーリング成分は、サブ帯域基準で選択される、方法。
【請求項４８】
請求項４５に記載の方法であって、
前記複数の成分の前記サブセットは、ビーム位相スケーリング成分を含み、
前記第１の符号ブックは、ビーム電力スケーリング成分を含む、方法。
【請求項４９】
基地局（２０）であって、
処理回路（２２）を備え、前記処理回路（２２）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
基地局（２０）。
【請求項５０】
請求項４９に記載の基地局（２０）であって、
前記１つ以上の共通成分は、ビーム電力スケーリング成分及び／又はビーム位相スケーリング成分を含む、基地局（２０）。
【請求項５１】
請求項５０に記載の基地局（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、基地局（２０）。
【請求項５２】
請求項４９に記載の基地局（２０）であって、
前記１つ以上の共通成分は、ビーム位相スケーリング成分を含み、
前記第２の符号ブックは、ビーム電力スケーリング成分を含む、基地局（２０）。
【請求項５３】
ユーザ機器（４０）であって、
処理回路（４２）を備え、前記処理回路（４２）は、
前記ユーザ機器（４０）により、複数の成分を含むマルチビームの符号ブックである第１の符号ブックへアクセスし、及び、
前記ユーザ機器（４０）により、前記第１の符号ブックからの前記複数の成分のサブセットを含む第２の符号ブックへアクセスする、ように構成される、
ユーザ機器（４０）。
【請求項５４】
請求項５３に記載のユーザ機器（４０）であって、
前記複数の成分の前記サブセットは、ビーム電力スケーリング成分及び／又はビーム位相スケーリング成分を含む、ユーザ機器（４０）。
【請求項５５】
請求項５４に記載のユーザ機器（４０）であって、
前記第２の符号ブックの前記ビーム電力スケーリング成分は、広帯域基準で選択され、及び／又は、前記ビーム位相スケーリング成分は、サブ帯域基準で選択される、ユーザ機器（４０）。
【請求項５６】
請求項５３に記載のユーザ機器（４０）であって、
前記複数の成分の前記サブセットは、ビーム位相スケーリング成分を含み、
前記第１の符号ブックは、ビーム電力スケーリング成分を含む、ユーザ機器（４０）。
【請求項５７】
基地局（２０）であって、
処理回路を備え、前記処理回路は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
基地局（２０）。
【請求項５８】
請求項５７に記載の基地局（２０）であって、
前記１つ以上の共通成分は、ビーム電力スケーリング成分及び／又はビーム位相スケーリング成分を含む、基地局（２０）。
【請求項５９】
請求項５８に記載の基地局（２０）であって、
前記少なくとも１つのプリコーダ（３０）の第１のプリコーダ（３０）の前記ビーム電力スケーリング成分は、広帯域基準で選択され、及び／又は、前記ビーム位相スケーリング成分は、サブ帯域基準で選択される、基地局（２０）。
【請求項６０】
請求項５７に記載の基地局（２０）であって、
前記１つ以上の共通成分は、ビーム位相スケーリング成分を含み、
前記第２の符号ブックは、ビーム電力スケーリング成分を含む、基地局（２０）。
【請求項６１】
ユーザ機器（４０）であって、
処理回路を備え、前記処理回路は、
前記ユーザ機器（４０）により、複数の成分を含むマルチビームの符号ブックである第１の符号ブックへアクセスする、ように構成され、前記第１の符号ブックからの前記複数の成分のサブセットは、第２の符号ブック内にある、
ユーザ機器（４０）。
【請求項６２】
請求項６１に記載のユーザ機器（４０）であって、
前記複数の成分の前記サブセットは、ビーム電力スケーリング成分及び／又はビーム位相スケーリング成分を含む、ユーザ機器（４０）。
【請求項６３】
請求項６２に記載のユーザ機器（４０）であって、
前記第２の符号ブックの前記ビーム電力スケーリング成分は、広帯域基準で選択され、及び／又は、前記ビーム位相スケーリング成分は、サブ帯域基準で選択される、ユーザ機器（４０）。
【請求項６４】
請求項６１に記載のユーザ機器（４０）であって、
前記複数の成分の前記サブセットは、ビーム位相スケーリング成分を含み、
前記第１の符号ブックは、ビーム電力スケーリング成分を含む、ユーザ機器（４０）。
【請求項６５】
請求項１７、１８、１９、２０、２５、２６、２７、及び２８のいずれか一項に記載の無線ネットワークノード（２０）であって、前記処理回路（２２）は、メモリ（２４）及び１つ以上のプロセッサ（２６）を含む、無線ネットワークノード（２０）。
【請求項６６】
請求項２１、２２、２３、２４、２９、３０、３１、及び３２のいずれか一項に記載のワイヤレスデバイス（４０）であって、前記処理回路（４２）は、メモリ（４４）及び１つ以上のプロセッサ（４６）を含む、ワイヤレスデバイス（４０）。
【請求項６７】
請求項５３、５４、５５、５６、６１、６２、６３、及び６４のいずれか一項に記載のユーザ機器（４０）であって、前記処理回路（４２）は、メモリ（４４）及び１つ以上のプロセッサ（４６）を含む、ユーザ機器（４０）。
【請求項６８】
請求項４９、５０、５１、５２、５７、５８、５９、及び６０のいずれか一項に記載の基地局（２０）であって、前記処理回路（２２）は、メモリ（２４）及び１つ以上のプロセッサ（２６）を含む、基地局（２０）。
【請求項６９】
コンピュータ読取可能な記憶媒体を含むコンピュータプログラムであって、前記記憶媒体において具現化されたコンピュータ読取可能なプログラムコードを有し、前記コンピュータ読取可能なプログラムコードは、請求項１〜１６及び３３〜４８のいずれかに記載の方法のうちいずれか１つ以上を実行するコンピュータ読取可能なコードを含む、コンピュータプログラム。
【請求項７０】
請求項６９に記載のコンピュータプログラムを含むコンピュータ読取可能な記憶媒体。
【請求項７１】
無線ネットワークノード（２０）のための実行可能な命令群を記憶するように構成されるコンピュータ読取可能なメモリであって、前記実行可能な命令群は、処理回路（２２）の１つ以上のプロセッサ（２６）により実行されると、請求項１、２、３、４、９、１０、１１、及び１２のいずれか一項に記載の方法のいずれかを前記無線ネットワークノード（２０）に実行させる、コンピュータ読取可能なメモリ。
【請求項７２】
ワイヤレスデバイス（４０）のための実行可能な命令群を記憶するように構成されるコンピュータ読取可能なメモリであって、前記実行可能な命令群は、処理回路（４２）の１つ以上のプロセッサ（４６）により実行されると、請求項５、６、７、８、１３、１４、１５、及び１６のいずれか一項に記載の方法のいずれかを前記ワイヤレスデバイス（４０）に実行させる、コンピュータ読取可能なメモリ。
【請求項７３】
ユーザ機器（４０）のための実行可能な命令群を記憶するように構成されるコンピュータ読取可能なメモリであって、前記実行可能な命令群は、処理回路（４２）の１つ以上のプロセッサ（４６）により実行されると、請求項３７、３８、３９、４０、４５、４６、４７、及び４８のいずれか一項に記載の方法のいずれかを前記ユーザ機器（４０）に実行させる、コンピュータ読取可能なメモリ。
【請求項７４】
基地局（２０）のための実行可能な命令群を記憶するように構成されるコンピュータ読取可能なメモリであって、前記実行可能な命令群は、処理回路（２２）の１つ以上のプロセッサ（２６）により実行されると、請求項３３、３４、３５、３６、４１、４２、４３、及び４４のいずれか一項に記載の方法のいずれかを前記基地局（２０）に実行させる、コンピュータ読取可能なメモリ。
【請求項７５】
無線ネットワークノード（２０）であって、
測定モジュール（３３）を備え、前記測定モジュール（３３）は、
ビーム形成されるアンテナポートのセットに対し測定を行うことにより第１の符号ブックから少なくとも１つのプリコーダ（３０）を決定し、及び、
前記ビーム形成されるアンテナポートのセットよりも大きい非プリコーデッドなアンテナポートのセットに対し測定を行うことによりマルチビームの第２の符号ブックから少なくとも１つのプリコーダ（３０）を決定する、ように構成され、前記第１の符号ブック内の前記少なくとも１つのプリコーダ（３０）は、前記第２の符号ブック内の前記少なくとも１つのプリコーダ（３０）と１つ以上の共通成分を共有する、
無線ネットワークノード（２０）。
【請求項７６】
ワイヤレスデバイス（４０）であって、
送受信機モジュール（４９）を備え、前記送受信機モジュール（４９）は、
複数の成分を含むマルチビームの符号ブックである第１の符号ブックへアクセスし、及び、
前記第１の符号ブックからの前記複数の成分のサブセットを含む第２の符号ブックへアクセスする、ように構成される、
ワイヤレスデバイス（４０）。
【請求項７７】
無線ネットワークノード（２０）であって、
測定モジュール（３３）を備え、前記測定モジュール（３３）は、
ビーム形成されるアンテナポートのセットに対し測定を行うことにより第１の符号ブックから少なくとも１つのプリコーダ（３０）を決定する、ように構成され、前記第１の符号ブック内の前記少なくとも１つのプリコーダ（３０）は、マルチビームの第２の符号ブック内の少なくとも１つのプリコーダ（３０）と１つ以上の共通成分を共有する、
無線ネットワークノード（２０）。
【請求項７８】
ワイヤレスデバイス（４０）であって、
送受信機モジュール（４９）を備え、前記送受信機モジュール（４９）は、
複数の成分を含むマルチビームの符号ブックである第１の符号ブックへアクセスする、ように構成され、前記第１の符号ブックからの前記複数の成分のサブセットは、第２の符号ブック内にある、
ワイヤレスデバイス（４０）。
【手続補正２】
【補正対象書類名】明細書
【補正対象項目名】０００４
【補正方法】変更
【補正の内容】
【０００４】
見て取れるように、情報搬送シンボルベクトルｓ１０に、ＮＴ×ｒのプリコーダ行列Ｗ１２が乗算され、それが（ＮＴ個のアンテナポート１４に対応する）ＮＴ次元のベクトル空間のサブ空間内で送信エネルギーを分配する働きをする。プリコーダ行列１２は、典型的には、プリコーダ行列候補の符号ブックから選択され、典型的には、プリコーダ行列インジケータ（ＰＭＩ）によって指し示され、ＰＭＩは、所与の数のシンボルストリームのための上記符号ブック内の一意なプリコーダ行列を特定する。ｓ１０内のｒ個のシンボルは、各々がレイヤに相当し、ｒは送信ランクとして言及される。この手法で、同一の時間／周波数リソースエレメント（ＴＦＲＥ）上で同時に複数のシンボルを送信できることから、空間多重化が達成される。シンボル数ｒは、典型的には、現行のチャネル特性に適するように適応化される。
【手続補正３】
【補正対象書類名】明細書
【補正対象項目名】００６５
【補正方法】変更
【補正の内容】
【００６５】
また別の観点によれば、処理回路を備える無線ネットワークノードが提供される。処理回路は、ビーム形成されるアンテナポートのセットに対し測定を行うことにより第１の符号ブックから少なくとも１つのプリコーダを決定する、ように構成される。処理回路は、ビーム形成されるアンテナポートのセットよりも大きい非プリコーデッドなアンテナポートのセットに対し測定を行うことによりマルチビームの第２の符号ブックから少なくとも１つのプリコーダを決定する、ようにさらに構成される。第１の符号ブック内の少なくとも１つのプリコーダは、第２の符号ブック内の少なくとも１つのプリコーダと１つ以上の共通成分を共有する。
【手続補正４】
【補正対象書類名】明細書
【補正対象項目名】００８１
【補正方法】変更
【補正の内容】
【００８１】
また別の観点によれば、処理回路を備える基地局が提供される。処理回路は、ビーム形成されるアンテナポートのセットに対し測定を行うことにより第１の符号ブックから少なくとも１つのプリコーダを決定する、ように構成される。処理回路は、ビーム形成されるアンテナポートのセットよりも大きい非プリコーデッドなアンテナポートのセットに対し測定を行うことによりマルチビームの第２の符号ブックから少なくとも１つのプリコーダを決定する、ようにさらに構成される。第１の符号ブック内の少なくとも１つのプリコーダは、第２の符号ブック内の少なくとも１つのプリコーダと１つ以上の共通成分を共有する。
【手続補正５】
【補正対象書類名】明細書
【補正対象項目名】０１００
【補正方法】変更
【補正の内容】
【０１００】
また別の観点によれば、無線ネットワークノードが提供される。無線ネットワークノードは、ビーム形成されるアンテナポートのセットに対し測定を行うことにより第１の符号ブックから少なくとも１つのプリコーダを決定するように構成される測定モジュールを含み、第１の符号ブック内の少なくとも１つのプリコーダは、マルチビームの第２の符号ブック内の少なくとも１つのプリコーダと１つ以上の共通成分を共有する。
【手続補正６】
【補正対象書類名】明細書
【補正対象項目名】０１５３
【補正方法】変更
【補正の内容】
【０１５３】
実施形態Ｄ３：  実施形態Ｄ２の方法であって、前記第２の符号ブックの前記ビーム電力スケーリング成分は、広帯域基準で選択され、及び／又は、前記ビーム位相スケーリング成分は、サブ帯域基準で選択される、方法。
【手続補正７】
【補正対象書類名】明細書
【補正対象項目名】０１５４
【補正方法】変更
【補正の内容】
【０１５４】
実施形態Ｄ４：  実施形態Ｄ１の方法であって、前記成分のサブセットは、ビーム位相スケーリング成分を含み、前記第１の符号ブックは、ビーム電力スケーリング成分を含む、方法。
【手続補正８】
【補正対象書類名】明細書
【補正対象項目名】０１５５
【補正方法】変更
【補正の内容】
【０１５５】
実施形態Ｄ５：  実施形態Ｄ４の方法であって、前記第２の符号ブックからのプリコーダを決定する前に、ビーム形成されるアンテナポートに、レポートされる前記第１の符号ブックからのプリコーダにおける前記ビーム電力スケーリング成分を適用すること、をさらに含む、方法。
【手続補正９】
【補正対象書類名】明細書
【補正対象項目名】０１５６
【補正方法】変更
【補正の内容】
【０１５６】
実施形態Ｄ６：  実施形態Ｄ４の方法であって、ネットワークノードから（直接的に又は間接的に）シグナリングされるアンテナポートの電力スケーリングを受信すること、をさらに含む、方法。
【手続補正１０】
【補正対象書類名】明細書
【補正対象項目名】０１７１
【補正方法】変更
【補正の内容】
【０１７１】
また別の観点によれば、処理回路２２を備える無線ネットワークノード２０が提供される。処理回路２２は、ビーム形成されるアンテナポートのセットに対し測定を行うことにより第１の符号ブックから少なくとも１つのプリコーダ３０を決定する、ように構成される。処理回路２２は、ビーム形成されるアンテナポートのセットよりも大きい非プリコーデッドなアンテナポートのセットに対し測定を行うことによりマルチビームの第２の符号ブックから少なくとも１つのプリコーダ３０を決定する、ようにさらに構成される。第１の符号ブック内の少なくとも１つのプリコーダ３０は、第２の符号ブック内の少なくとも１つのプリコーダ３０と１つ以上の共通成分を共有する。
【手続補正１１】
【補正対象書類名】明細書
【補正対象項目名】０１８７
【補正方法】変更
【補正の内容】
【０１８７】
また別の観点によれば、処理回路２２を備える基地局２０が提供される。処理回路２２は、ビーム形成されるアンテナポートのセットに対し測定を行うことにより第１の符号ブックから少なくとも１つのプリコーダ３０を決定する、ように構成される。処理回路２２は、ビーム形成されるアンテナポートのセットよりも大きい非プリコーデッドなアンテナポートのセットに対し測定を行うことによりマルチビームの第２の符号ブックから少なくとも１つのプリコーダ３０を決定する、ようにさらに構成される。第１の符号ブック内の少なくとも１つのプリコーダ３０は、第２の符号ブック内の少なくとも１つのプリコーダ３０と１つ以上の共通成分を共有する。
【国際調査報告】
2020504465.tif 000045
2020504465.tif 000046